(57)【要約】【課題】遊技の興趣の低下を抑制する遊技機を提供すること。【解決手段】第１の特別図柄始動口９３側からの当たりルートにて可動片１４２の駆動制御が行われるときは、機械抽選装置の内部領域に入球した遊技球は極めて高い確率で一般領域（流下経路３４４）に受け入れられる。これに対し、普通図柄始動口９６側からの当たりルートにて可動片１４２の駆動制御が行われるときは、機械抽選装置の内部領域に入球した遊技球は極めて高い確率で特定領域（流下経路３４３）に受け入れられる。左遊技領域３７ｂに打ち込まれた遊技球は、上述のように全く異なる遊技性を有する２つの当たりルートのいずれかに風車９２によって振り分けられる。【選択図】図３
2008295803.tif 000002
【特許請求の範囲】
【請求項１】
遊技球が打ち込まれる遊技領域を有する遊技盤と、
可動片を有し、該可動片が動作したときにのみ内部領域への遊技球の進入が可能となる機械抽選装置と、
前記遊技領域に打ち込まれた遊技球を受け入れ可能な始動口と、
前記始動口に遊技球が入球されたとき、前記可動片の動作契機となる始動当たりについての抽選処理を行う始動抽選手段と、
前記始動抽選手段により前記始動当たりが当選されたとき、前記機械抽選装置の内部領域への遊技球の進入が可能となるように前記可動片の駆動制御を行う駆動制御手段と、を備え、
前記機械抽選装置の内部領域には、該内部領域に進入した遊技球を一般領域と特定領域とのいずれかに振り分ける抽選機構が設けられてなり、該抽選機構により前記特定領域に遊技球が振り分けられたとき、遊技者に特典が付与される遊技機において、
前記始動口への遊技球の入球確率が高くなるように動作可能な可動部材と、
前記遊技領域に打ち込まれた遊技球に対して常に開放された通過口を有するゲート手段と、
前記ゲート手段を遊技球が通過したとき、前記可動部材の動作契機となるゲート当たりについての抽選処理を行うゲート抽選手段と、
前記遊技領域に打ち込まれた遊技球の流下方向に変化を与える規制手段と、
を備え、
前記遊技領域は、遊技球を打ち分け可能な右遊技領域と左遊技領域とを有するものであり、
前記始動口は、
前記左遊技領域に打ち分けられた遊技球を、前記ゲート当たりに応じた前記可動部材の動作にかかわらず常に受け入れ可能な高始動率始動口、
前記右遊技領域に打ち分けられた遊技球を、前記ゲート当たりに応じた前記可動部材の動作があったときにのみ受け入れ可能な低始動率始動口、
を有して構成されるものであり、
前記駆動制御手段は、
前記高始動率始動口に遊技球が入球されたことに応じて前記始動当たりが当選されたときに前記機械抽選装置の内部領域への遊技球の進入が可能となる第１の開放時間の期待値が所定時間未満となるように前記可動片の駆動制御を行う第１の駆動制御手段、及び
前記低始動率始動口に遊技球が入球されたことに応じて前記始動当たりが当選されたときに前記機械抽選装置の内部領域への遊技球の進入が可能となる第２の開放時間の期待値が前記所定時間以上となるように前記可動片の駆動制御を行う第２の駆動制御手段、
を有するものであり、
前記抽選機構は、
前記可動片の駆動制御があったときから予め定められた一定の動作を開始する定動作装置、及び
前記機械抽選装置の内部領域に進入した遊技球を前記定動作装置へと流下させる内部流下経路、
を有し、前記定動作装置が、
前記内部流下経路に対して前記一般領域へと通じる流下経路が接続される動作であって前記可動片の駆動制御があったときから前記所定時間が経過するまでの期間中に行われる前半動作と、
前記内部流下経路に対して前記特定領域へと通じる流下経路が接続される動作であって前記可動片の駆動制御があったときから前記所定時間が経過した後の期間中に行われる後半動作と、
を前記可動片の駆動制御があったときから予め定められた一定の動作として順次開始することで、前記内部領域に進入した遊技球を前記一般領域と前記特定領域とのいずれかに振り分けるものであり、
前記規制手段は、
前記左遊技領域に打ち分けられた遊技球の流下方向を変化させてそれら遊技球を前記高始動率始動口へと通じる流下経路と、前記ゲート手段へと通じる流下経路とのいずれかに振り分けるようにした
ことを特徴とする遊技機。
【発明の詳細な説明】
【技術分野】
【０００１】
この発明は、始動口への入賞を契機として補助遊技を行い、この補助遊技の結果に応じて遊技者に特典が付与される遊技機に関する。
【背景技術】
【０００２】
従来、この種の遊技機としては、例えば特許文献１に記載されている遊技機が知られている。
【０００３】
すなわち、この特許文献１に記載の遊技機にあって、その遊技領域には、始動口、及び該始動口に遊技球が受け入れられることに基づいて予め定められた時間だけ開閉動作する一対の羽根部材、及びこの羽根部材による開閉動作を通じて開放される大入賞口装置などが設けられている。また、上記大入賞口装置の内部領域には、該内部領域に進入した遊技球が特定領域に受け入れられるか否かについての抽選処理を機械的な構造をもって行う特別駆動役物などが設けられている。
【０００４】
このような遊技機では、遊技者はまず、上記始動口に遊技球が受け入れられるように操作ハンドルを操作する。そしてこの結果、上記始動口に遊技球が受け入れられると、羽根部材による動作によって上記大入賞口装置の内部領域が予め定められた時間だけ開放される補助遊技が行われるようになる。そこで、遊技者は、上記始動口に遊技球が受け入れられた後は、上記大入賞口装置内に遊技球が入球するように操作ハンドル（図示略）を操作する。そしてこの結果、上記大入賞口装置の内部領域に遊技球が入球すると、該入球した遊技球が特定領域に受け入れられるか否かについての抽選処理が上記特別駆動役物によって行われる。なお、この特許文献１に記載の特別駆動役物は、上記特定領域へと通じる流下経路を定常的に変位（回転動作）させる回転体からなる。すなわち、こうした回転動作を通じて上記特定領域に遊技球が受け入れられるか否かについての抽選処理が行われ、その結果、上記大入賞口装置の内部領域に進入した遊技球が上記特定領域に受け入れられると、この補助遊技に続く一連の遊技として多くの賞球が遊技者に払い出される特別遊技（特典）が行われるようになる。
【０００５】
【特許文献１】特開２００４−２０２１１０号公報
【発明の開示】
【発明が解決しようとする課題】
【０００６】
このような従来の遊技機によれば、上記大入賞口装置の内部領域に遊技球が進入したとき、該進入した遊技球が予め定められた単一の確率にて上記特定領域に受け入れられるか否かについての抽選処理が行われる。そしてこの結果、該遊技球が上記特定領域に受け入れられると、多くの賞球が遊技者に払い出される特別遊技が行われるようになる。ただし、上記従来の遊技機では、このような一連の遊技（内部領域に進入した遊技球が予め定められた単一の確率にて上記特定領域に受け入れられる遊技など）のみを提供するに留まることから、遊技者に飽きが生じ易くなり、ひいては遊技の興趣が低下しかねない。
【０００７】
なお、上記大入賞口装置の内部領域が開放される都度、上記特別駆動役物による動作態様を異ならしめることによって、遊技者に飽きが生じ難くさせることも考えられる。ただしこれでは、上記特別駆動役物の動作状況に合わせて遊技球を狙い撃ちすることによって上記特定領域に遊技球が入球され易くするなどといった、補助遊技を採用する遊技機として内在される独自の遊技性が失われてしまう。
【０００８】
この発明は、こうした実情に鑑みてなされたものであり、遊技の興趣の低下を抑制することのできる遊技機を提供することを目的とする。
【課題を解決するための手段】
【０００９】
こうした目的を達成するため、請求項１に記載の発明では、遊技球が打ち込まれる遊技領域を有する遊技盤と、可動片を有し、該可動片が動作したときにのみ内部領域への遊技球の進入が可能となる機械抽選装置と、前記遊技領域に打ち込まれた遊技球を受け入れ可能な始動口と、前記始動口に遊技球が入球されたとき、前記可動片の動作契機となる始動当たりについての抽選処理を行う始動抽選手段と、前記始動抽選手段により前記始動当たりが当選されたとき、前記機械抽選装置の内部領域への遊技球の進入が可能となるように前記可動片の駆動制御を行う駆動制御手段と、を備え、前記機械抽選装置の内部領域には、該内部領域に進入した遊技球を一般領域と特定領域とのいずれかに振り分ける抽選機構が設けられてなり、該抽選機構により前記特定領域に遊技球が振り分けられたとき、遊技者に特典が付与される遊技機において、前記始動口への遊技球の入球確率が高くなるように動作可能な可動部材と、前記遊技領域に打ち込まれた遊技球に対して常に開放された通過口を有するゲート手段と、前記ゲート手段を遊技球が通過したとき、前記可動部材の動作契機となるゲート当たりについての抽選処理を行うゲート抽選手段と、前記遊技領域に打ち込まれた遊技球の流下方向に変化を与える規制手段と、を備え、前記遊技領域は、遊技球を打ち分け可能な右遊技領域と左遊技領域とを有するものであり、前記始動口は、前記左遊技領域に打ち分けられた遊技球を、前記ゲート当たりに応じた前記可動部材の動作にかかわらず常に受け入れ可能な高始動率始動口、前記右遊技領域に打ち分けられた遊技球を、前記ゲート当たりに応じた前記可動部材の動作があったときにのみ受け入れ可能な低始動率始動口、を有して構成されるものであり、前記駆動制御手段は、前記高始動率始動口に遊技球が入球されたことに応じて前記始動当たりが当選されたときに前記機械抽選装置の内部領域への遊技球の進入が可能となる第１の開放時間の期待値が所定時間未満となるように前記可動片の駆動制御を行う第１の駆動制御手段、及び前記低始動率始動口に遊技球が入球されたことに応じて前記始動当たりが当選されたときに前記機械抽選装置の内部領域への遊技球の進入が可能となる第２の開放時間の期待値が前記所定時間以上となるように前記可動片の駆動制御を行う第２の駆動制御手段、を有するものであり、前記抽選機構は、前記可動片の駆動制御があったときから予め定められた一定の動作を開始する定動作装置、及び前記機械抽選装置の内部領域に進入した遊技球を前記定動作装置へと流下させる内部流下経路、を有し、前記定動作装置が、前記内部流下経路に対して前記一般領域へと通じる流下経路が接続される動作であって前記可動片の駆動制御があったときから前記所定時間が経過するまでの期間中に行われる前半動作と、前記内部流下経路に対して前記特定領域へと通じる流下経路が接続される動作であって前記可動片の駆動制御があったときから前記所定時間が経過した後の期間中に行われる後半動作と、を前記可動片の駆動制御があったときから予め定められた一定の動作として順次開始することで、前記内部領域に進入した遊技球を前記一般領域と前記特定領域とのいずれかに振り分けるものであり、前記規制手段は、前記左遊技領域に打ち分けられた遊技球の流下方向を変化させてそれら遊技球を前記高始動率始動口へと通じる流下経路と、前記ゲート手段へと通じる流下経路とのいずれかに振り分けるようにしたことを要旨とする。
【００１０】
このような構成では、左遊技領域に打ち分けられた遊技球を、上記ゲート当たりに応じた上記可動部材の動作にかかわらず常に受け入れ可能な高始動率始動口と、右遊技領域に打ち分けられた遊技球を、上記ゲート当たりに応じた上記可動部材の動作があったときにのみ受け入れ可能な低始動率始動口とを有するようにしたことで、遊技者は、
・左遊技領域に打ち分けられた遊技球を上記高始動率始動口に入球させた後、機械抽選装置の内部領域に別の遊技球を進入させ、さらに該進入した遊技球を特定領域に入球させるルート（高始動率始動口側からの当たりルート）。
・左遊技領域に打ち分けられた遊技球がゲート手段を通過した後、右遊技領域に打ち分けられた遊技球を低始動率始動口に入球させ、その後、機械抽選装置の内部領域に別の遊技球を進入させ、さらに該進入した遊技球を特定領域に入球させるルート（ゲート手段側からの当たりルート）。
といった、２つのルートを通じて遊技者に有利な特典の付与を期待することができるようになる。
【００１１】
また、上記駆動制御手段は、高始動率始動口側からの当たりルートにて上記可動片の駆動制御を行うときは、上記機械抽選装置の内部領域への遊技球の進入が可能となる第１の開放時間の期待値が所定時間未満となるようにするとともに（第１の駆動制御手段）、ゲート手段側からの当たりルートにて上記可動片の駆動制御を行うときは、上記機械抽選装置の内部領域への遊技球の進入が可能となる第２の開放時間の期待値が上記所定時間以上となるようにした（第２の駆動制御手段）。またさらに、上記抽選機構は、このような可動片の駆動制御態様を利用して、上記内部領域に進入した遊技球のうち、高始動率始動口側からの当たりルートにて進入した遊技球についてはその多くを上記一般領域に振り分ける一方で、ゲート手段側からの当たりルートにて進入した遊技球についてはその多くを上記特定領域に振り分けるようにした（定動作装置による前半動作、後半動作）。すなわちこの場合、定動作装置が予め定められた動作スケジュール（前半動作、後半動作）に沿って動作するだけのものでありながらも、高始動率始動口側からの当たりルートと、ゲート手段側からの当たりルートとで、上記機械抽選装置の内部領域に遊技球が進入したときに期待できる当たり確率（特定領域に遊技球が受け入れられる確率）を大きく異ならしめることができるようになる。
【００１２】
そしてこの上で、上記規制手段が、左遊技領域に打ち分けられた遊技球の流下方向を変化させて、上述のように全く異なる遊技性を有する高始動率始動口側からの当たりルートと、ゲート手段側からの当たりルートとのいずれかに振り分けて遊技者に遊技を行わせるようにしたため、遊技者に飽きが生じ難くなり、ひいては遊技の興趣の低下が抑制されるようになる。
【００１３】
なお、上記第１の開放時間の期待値とは、高始動率始動口に遊技球が入球されたことに応じて上記始動当たりが当選されたときに上記機械抽選装置の内部領域への遊技球の進入が可能となる第１の開放時間として期待しうる時間を平均化した値である。より具体的には、上記第１の開放時間としてＴ１、Ｔ２、・・・、Ｔｎが用意されているとき、それらの選択確率がそれぞれＰ１、Ｐ２、・・・Ｐｎであるとき、（Ｔ１×Ｐ１）＋（Ｔ２×Ｐ２）＋・・・＋（Ｔｎ×Ｐｎ）の値をいう。
【００１４】
また、上記第２の開放時間の期待値も同様、低始動率始動口に遊技球が入球されたことに応じて上記始動当たりが当選されたときに上記機械抽選装置の内部領域への遊技球の進入が可能となる第２の開放時間として期待しうる時間を平均化した値であり、より具体的には、上記第２の開放時間としてｔ１、ｔ２、・・・、ｔｎが用意されているとき、それらの選択確率がそれぞれｐ１、ｐ２、・・・ｐｎであるとき、（ｔ１×ｐ１）＋（ｔ２×ｐ２）＋・・・＋（ｔｎ×ｐｎ）の値をいう。
【発明の効果】
【００１５】
この発明によれば、遊技の興趣の低下を抑制することのできる遊技機を提供することができる。
【発明を実施するための最良の形態】
【００１６】
以下、本発明の一実施形態であるパチンコ遊技機（以下、単に「パチンコ機」という）を、図面に基づいて詳細に説明する。
【００１７】
［パチンコ機の全体構成について］
図１に基づき説明する。図１はパチンコ機の外枠の一側に本体枠が開かれその本体枠の一側に前面枠が開かれた状態を示す斜視図である。なお、図１においては遊技領域における装飾部材が省略された図を示している。
【００１８】
パチンコ機１は、外枠２、本体枠３、前面枠４、及び遊技盤５等を備えて構成されている。外枠２は、上下左右の木製の枠材によって縦長四角形の枠状に形成され、同外枠２の前側下部には、本体枠３の下面を受ける下受板６を有している。外枠２の前面の片側には、ヒンジ機構７によって本体枠３が前方に開閉可能に装着されている。なお、外枠２は、樹脂やアルミニウム等の軽金属によって形成されていてもよい。
【００１９】
［本体枠の構成について］
図２及び図４に基づき説明する。図２はパチンコ機の前側全体を示す正面図であり、図４はパチンコ機の本体枠と遊技盤とを分離して斜め右上前方から示す斜視図である。
【００２０】
本体枠３は、前枠体１１、遊技盤装着枠１２及び機構装着体１３を合成樹脂材によって一体成形することで構成されている。本体枠３の前枠体１１は、外枠２（図１参照）の前側の下受板６を除く外郭形状に対応する大きさの矩形枠状に形成されている。そして、前枠体１１の片側の上下部には、本体枠側ヒンジ具１５が固定されており、外枠２の片側の上下部に固定された外枠側ヒンジ具１４に対してヒンジピン及びヒンジ孔によって開閉回動可能に装着されている。すなわち、外枠側ヒンジ具１４、本体枠側ヒンジ具１５、ヒンジピン及びヒンジ孔によってヒンジ機構７が構成されている。
【００２１】
前枠体１１の前側において、遊技盤装着枠１２よりも下方に位置する前枠体１１の前下部左側領域にはスピーカボックス部１６が一体に形成され、そのスピーカボックス部１６の前側開口部には、同開口部を塞ぐようにしてスピーカ装着板１７が装着されている。そして、スピーカ装着板１７にはスピーカ１８が装着されている。また、前枠体１１前面の下部領域内において、その上半部分には発射レール１９が傾斜状に装着されている。また、前枠体１１前面の下部領域内の下半部分には下部前面板３０が装着されている。そして、下部前面板３０の前面の略中央部には、遊技球を貯留可能な下皿３１が設けられ、右側寄りには操作ハンドル３２が設けられ、左側寄りには灰皿３３が設けられている。なお、下皿３１には、遊技球を下方に排出するための球排出レバー３４が配設されている。
【００２２】
［前面枠の構成について］
図１及び図２に基づき説明する。前枠体１１の前面の片側には、その前枠体１１の上端から下部前面板３０の上縁にわたる部分を覆うようにして、前面枠４がヒンジ機構３６によって前方に開閉可能に装着されている。また、前面枠４の略中央部には、遊技盤５の遊技領域３７を前方から透視可能な略円形の開口窓３８が形成されている。また、前面枠４の後側には開口窓３８よりも大きな矩形枠状をなす窓枠３９が設けられ、その窓枠３９にはガラス板、透明樹脂板等の透明板５０が装着されている。また、前面枠４の前面の略全体は、ランプ等が内設された前面装飾部材によって装飾され、同前面枠４の前面の下部には上皿５１が形成されている。詳しくは、開口窓３８の周囲において、左右両側部にサイド装飾装置５２が、下部に上皿５１が、上部に音響電飾装置５３が装着されている。サイド装飾装置５２は、ランプ基板が内部に配置され且つ合成樹脂材によって形成されたサイド装飾体５４を主体として構成されている。サイド装飾体５４には、横方向に長いスリット状の開口孔が上下方向に複数配列されており、該開口孔には、ランプ基板に配置された光源に対応するレンズ５５が組み込まれている。音響電飾装置５３は、透明カバー体５６、スピーカ５７、スピーカカバー５８、及びリフレクタ体（図示しない）等を備え、これらの構成部材が相互に組み付けられてユニット化されている。
【００２３】
［施錠装置の構成について］
図１及び図４に基づき説明する。前枠体１１のヒンジ機構３６に対して反対側となる自由端側の後側には、外枠２に対し本体枠３を施錠する機能と、本体枠３に対し前面枠４を施錠する機能とを兼ね備えた施錠装置７０が装着されている。すなわち、この実施形態において、施錠装置７０は、外枠２に設けられた閉止具７１に係脱可能に係合して本体枠３を閉じ状態に施錠する上下複数の本体枠施錠フック７２と、前面枠４の自由端側の後側に設けられた閉止具７３に係脱可能に係合して前面枠４を閉じ状態に施錠する上下複数の扉施錠フック７４と、パチンコ機１の前方から鍵が挿入されて解錠操作可能に、前枠体１１及び下部前面板３０を貫通して露出されたシリンダー錠７５と、を備えている。そして、シリンダー錠７５の鍵穴に鍵が挿入されて一方向に回動操作されることで本体枠施錠フック７２と外枠２の閉止具７１との係合が外れて本体枠３が解錠され、これとは逆方向に回動操作されることで、扉施錠フック７４と前面枠４の閉止具７３との係合が外れて前面枠４が解錠されるようになっている。
【００２４】
［遊技盤装着枠及び遊技盤の構成について］
図１、図３、図４、及び図５に基づき説明する。図３は遊技領域の構成を示す拡大正面図であり、図５はパチンコ機の後側全体を示す背面図である。
【００２５】
図１及び図４に示すように、本体枠３の遊技盤装着枠１２は、前枠体１１の後側に設けられかつ遊技盤５が前方から着脱交換可能に装着されるようになっている。遊技盤５は、遊技盤装着枠１２の前方から嵌込まれる大きさの略四角板状に遊技板５ａから構成されている。遊技盤５（遊技板５ａ）の盤面（前面）には、外レール７６と内レール７７とを備えた案内レール７８が設けられ、その案内レール７８の内側に遊技領域３７が区画形成されている。なお、発射レール１９と案内レール７８との間には、所定の隙間が設けられており、発射された遊技球が案内レール７８を逆戻りした場合には、その遊技球は、その隙間から排出され下皿３１に案内されるように構成されている。また、遊技盤５（遊技板５ａ）の前面には、その案内レール７８の外側領域において、合成樹脂製の前構成部材７９が装着されている。また、遊技盤５（遊技板５ａ）の略中央部には、後述するセンター役物９１が取付けられて、遊技板５ａの後方に位置する演出表示装置１１５を視認可能とする開口部１２４を形成するための開口部（図示外）が形成されている。
【００２６】
図３に示すように、遊技領域３７内には多数の障害釘が所定のゲージ配列をなして設けられているほか、その途中の所定位置に風車（規制手段）９２が設けられている。遊技領域３７のほぼ中央位置には、センター役物９１が配設されており、このセンター役物９１のデザインによってパチンコ機１の機種やゲームコンセプト等が特徴付けられている。
【００２７】
また、センター役物９１の後方には、抽選結果を演出表示する演出表示装置１１５が設けられている。演出表示装置１１５は、装飾図柄画像情報、背景画像情報、キャラクタ画像情報等を合成した画像情報を表示可能な適宜の表示装置が用いられる。本実施の形態では、演出表示装置１１５として液晶表示装置が用いられている。
【００２８】
一方、遊技領域３７におけるセンター役物９１の下方には、普通図柄始動口（ゲート手段）９６が配置されており、この普通図柄始動口９６に遊技球が入球すると、普通抽選を行うとともに、普通図柄を変動表示させるようになっている。また、センター役物９１の右側には、普通抽選で当たりとなった場合に開閉動作する普通電動役物（可動部材）８１を有し、該普通電動役物８１による開放動作があったときにのみ遊技球の入賞が可能になる第２の特別図柄始動口（第２の始動口）８２が配設されている。そして、この第２の特別図柄始動口８２に遊技球が入賞すると、大当たり抽選が行われるとともに、第２の特別図柄の変動が行われる。
【００２９】
また、上記普通図柄始動口９６の左側には、上記普通電動役物８１による開放動作にかかわらず常に遊技球を受け入れ可能な第１の特別図柄始動口（第１の始動口）９３が配設されている。そして後述するが、この第１の特別図柄始動口９３に遊技球が入賞した場合は、大当たり抽選が行われるとともに、第１の特別図柄の変動が行われる。
【００３０】
また、上記普通図柄始動口９６の右側であり、上記第２の特別図柄始動口８２の下側にはアタッカ装置９８が配設されている。このアタッカ装置９８は、開閉部材９９の下端部分を軸として開閉部材９９を前後方向に開閉動作させることにより下部側大入賞口８３を開閉させる。さらに、遊技領域３７の最も下方となる位置には、遊技領域３７を流下した遊技球が排出される球アウト口９０が設けられている。
【００３１】
また、センター役物９１の斜め左下には、普通抽選による結果を示唆する普通図柄表示器として機能する三つのＬＥＤ８４と、普通抽選の保留状態を示す普通保留球ランプとして機能する四つのＬＥＤ８５と、第１の特別図柄始動口９３への遊技球の入球に応じた特別抽選の保留状態を示す特別保留球ランプとして機能する一つのＬＥＤ８７とが設けられている。このうち、上記普通保留球ランプは、普通抽選において保留回数分（最大４回）だけＬＥＤ８５が点灯するようになっており、上記特別保留球ランプは、第１の特別図柄始動口９３への遊技球の入球に応じた特別抽選において保留回数分（最大１回）だけＬＥＤ８７が点灯するようになっている。なお、この実施の形態では、第２の特別図柄始動口８２への遊技球の入球に応じた特別抽選に対する保留機能は搭載されていない。
【００３２】
また、センター役物９１の左上部には、第１の特別図柄始動口９３への始動入賞を契機とした大当たり抽選における抽選結果を表示する第１の特別図柄表示器として機能する四つのＬＥＤ８６と、第２の特別図柄始動口８２への始動入賞を契機とした大当たり抽選における抽選結果を表示する第２の特別図柄表示器として機能する四つのＬＥＤ８８と、が設けられている。このうち、上記第１の特別図柄表示器では、第１の特別図柄始動口９３への始動入賞を契機として四つのＬＥＤ８６をいろいろなパターンで点滅させることにより、第１の特別図柄の変動状態を表示する。そして、一定の変動時間が終了すると、四つのＬＥＤ８６の点灯・消灯表示パターンによって、確定した特別図柄を停止状態で表示することで、抽選結果情報がＬＥＤ８６の点灯・消灯によって報知される。これに対し、上記第２の特別図柄表示器では、例えば第２の特別図柄始動口８２への始動入賞を契機として四つのＬＥＤ８８をいろいろなパターンで点滅させることにより、第２の特別図柄の変動状態を表示する。そして、一定の変動時間が終了すると、四つのＬＥＤ８８の点灯・消灯表示パターンによって、確定した特別図柄を停止状態で表示することで、抽選結果情報がＬＥＤ８６の点灯・消灯によって報知される。なお、ＬＥＤ８６、８８の点灯・消灯による特別図柄の変動表示及び停止表示の制御は、遊技盤５の後側に設けられた制御装置を通じて行われる。
【００３３】
また、センター役物９１の右上部には、上記特別抽選において当たりとなった場合に可動片１４２が動作することによって遊技球が進入可能となる機械抽選装置が設けられている。この機械抽選装置は、上記可動片１４２が動作したときにのみ開放される大入賞口１４１を有し、その内部領域には、上記大入賞口１４１に入賞した遊技球を特定領域（図示略）と一般領域（図示略）とのいずれかに振り分ける回転式振分装置（定動作装置）２９４と、上記大入賞口１４１に入賞した遊技球を上記回転式振分装置２９４へと案内する内部流下経路３４０とが設けられている。
【００３４】
ここで、上記回転式振分装置２９４は、図１１にその拡大図を示すように、円板状の形状からなり、上記特定領域へと通じる通路３４３と、上記一般領域へと通じる通路３４４と、を外周の切欠部として有している。そして後述するが、それら２つの通路３４３、３４４を予め定められた回転動作スケジュールに基づいて例えば時計回りにて回転により変位させることで、上記大入賞口１４１に入賞した遊技球を上記内部流下経路３４０を通じて特定領域と一般領域とのいずれかに振り分けるようにしている。そしてこの結果、上記特定領域に遊技球が振り分けられたときは、適宜のセンサ（図示略）によって遊技球が検出されて、遊技者に有利な特典としての特別遊技状態（大当たり遊技状態）が発生する。一方、上記一般領域に遊技球が振り分けられたときは、遊技者に有利な特典としての特別遊技状態（大当たり遊技状態）は発生しない。なお、この実施の形態にかかる回転式振分装置２９４は、モータの駆動制御を通じて回転する構造となっている。この駆動制御にかかる態様については後述する。
【００３５】
また、上記可動片１４２は、図１２（ａ）及び（ｂ）にその動作態様を示すように、上蓋１４３及び中枠１４５によって摺動可能に挟持されて後述の駆動制御手段（図示略）によって前後方向に摺動することで、当該機械抽選装置の内部領域への遊技球の進入を可能ならしめる構造となっている。
【００３６】
より具体的には、可動片１４２は、図１３にその内部構造を示すように、ソレノイド１６１のプランジャー１６２の運動によってリンクアーム１６３をリンク軸１６４を回転軸として回動させる構造となっている。リンクアーム１６３はリンク機構によって可動片１４２を前後に摺動させる。このように、プランジャー１６２の往復運動が可動片１４２の往復運動に変換され、突出状態（閉鎖状態）から引込状態（開放状態）に変位させることが可能になっている。なお、プランジャー１６２は通電していない状態で下に下がっており、リンクアーム１６３を介して可動片１４２を突出状態に保っている。上記ソレノイド１６１は、中枠１４５と、受止部１４４とによって上下方向に挟持されており、リンク軸１６４は受止部１４４に嵌設される。ソレノイド１６１の後方側にはソレノイド支持部１４８が接合される。また、大入賞口１４１に入賞した遊技球が内部流下経路３４０を流下する途中には遊技球検出手段１４７が設けられており、この遊技球検出手段１４７により大入賞口１４１に遊技球が入賞したことが検出される。
【００３７】
また、センター役物９１の下部には、図３及び図１４に示されるように、上面で遊技球を転動させることができるステージ２０が設けられている。このステージ２０は、遊技領域３７に開口しているワープ流入口６３とワープ通路（図示略）を介して連通されており、該ワープ通路を介して供給される遊技球を特定出口２４と普通出口２５とのいずれかに振り分ける部分である。
【００３８】
すなわち、このステージ２０は、全体が透光性を有するプラスティックで一体的に成形されており、遊技者側には仕切板４０が立設されている。また、その中央部には、外周壁４１で囲われた複合転動振分装置２１が形成されており、その外縁部にはステージ左余地４２及び右キャノピー４３が形成されている。ステージ２０の左奥方に複合転動振分装置２１の外縁部に接続する進入路４５（図１６参照）が形成されている。進入路４５の上流側端部はワープ出口４４に接続しており、このワープ出口４４が、上記ワープ通路（図示略）を介して上記ワープ流入口６３と連通されている。
【００３９】
ここで、上記複合転動振分装置２１は、中央部に１個の特定出口２４と２個の普通出口２５とを有している。そしてこのうち、上記特定出口２４は、当該特定出口２４に振り分けられた遊技球を、上記ステージ２０の前下方に形成された流出部６２のうちの上記普通図柄始動口９６に対して直上となる位置に流出させる部分であり、これによって上記普通図柄始動口９６を通過する確率を極めて高くするようにしている。これに対し、上記普通出口２５は、当該普通出口２５に振り分けられた遊技球を、上記ステージ２０の前下方に形成された流出部６２のうちの上記普通図柄始動口９６に対して直上とならない位置に流出させる部分であり、上記特定出口２４に対するハズレ出口とも言えるものである。
【００４０】
また、遊技盤５の後側には、図５及び図１０に示すように、演出表示装置１１５にかかる表示制御を行う制御装置や、普通電動役物８１や可動片１４２等の動作にかかる駆動制御を行う制御装置（駆動制御手段）や、普通抽選や特別抽選などの遊技進行にかかる処理を行う制御装置や、遊技球の払い出しにかかる制御を行う制御装置、等々が収納される制御基板ボックス１１７、１３０、１３２、１９８が装着されている。なお、遊技球の払い出しにかかる制御を行う制御装置とは、遊技球を払い出すべき数量を示すデータなどが記憶されているＲＡＭを備え、上記下部側大入賞口８３に遊技球が入球したときなどに該ＲＡＭに記憶されているデータに基づいて上記払出モータ１７２を作動制御するものである。
【００４１】
また、この実施の形態にかかる特別遊技状態とは、上記アタッカ装置９８（開閉部材９９）による開閉動作を通じて上記下部側大入賞口８３への遊技球の入球が可能となる状態であり、この下部側大入賞口８３への遊技球の入球が適宜のセンサにより検出されることで、遊技者に多量の遊技球が払い出されることとなる。より具体的には、特別遊技とは、最大３０秒間にわたってアタッカ装置９８を一定パターンで開閉させるラウンド動作を１５ラウンドまで繰り返すものであり、このようなラウンド動作の繰り返しは「大当たり遊技」と称されている。遊技者は、大当たり遊技の間に遊技球を下部側大入賞口８３に入賞させることで、多くの賞球を獲得することができる。なお、各ラウンド動作は３０秒間が経過するか、１０個の入賞球がカウントされるかのいずれかの条件を満たすと終了する。また大当たり遊技は、ラウンド動作が１５回終わると終了となる。
【００４２】
［遊技領域および画像表示領域の位置、大きさ、範囲について］
図１〜図４に基づき説明する。本実施形態のパチンコ機１では、前面枠４が本体枠３に対して装着されると、前面枠４は正面視で本体枠３の少なくとも３分の２以上を占める。そして、前面枠４の略中央に形成された透明板５０を介して、当該透明板５０と略同一の円形かつ大きさを有する遊技領域３７が視認可能となる。なお、遊技盤５が有する正方形状の遊技板５ａに対して略内接円をなすように外レール７６を配置することで、正方形状の遊技板５ａに対して最大限に広い円形状の遊技領域３７を確保しており、ここでは遊技領域３７は遊技板５ａの少なくとも４分の３以上の面積を有している。
【００４３】
また、遊技盤５の後方に設けられて正面視で遊技領域３７の略中央部に位置する演出表示装置１１５は、横長長方形状の画像表示領域を有しており、この画像表示領域は遊技盤５に形成された開口部１２４を介して視認可能となっている。この演出表示装置１１５は各種画像や図柄を用いた演出を行うために、より広い画像表示領域を有する大型液晶ディスプレイとして実装されている。具体的には、演出表示装置１１５の画像表示領域の横幅は、遊技盤５の横幅に対してほぼ３分の２の大きさを有し、演出表示装置１１５の画像表示領域の縦幅は、遊技盤５の縦幅に対してほぼ２分の１の大きさを有する。そして、演出表示装置１１５の画像表示領域は、遊技領域３７の少なくとも３分の１以上の面積を有していることから、演出表示装置１１５の画像表示領域は遊技領域３７において大きな割合を占める演出領域である。
【００４４】
また、上記回転式振分装置２９４は、演出表示装置１１５の画像表示領域の一の角部（ここでは、右上の角部）と、当該角部を形成する長辺の一部と、当該角部を形成する短辺の一部と、を含む領域を隠蔽するように、演出表示装置１１５と一部が重なるように配置されている。そして、この回転式振分装置２９４では、上記画像表示領域と重複する部分において後述する遊技球を用いた役物動作が実行される構造となっている。このように回転式振分装置２９４は、その一部は演出表示装置１１５と重ねて配置されつつ、その一部は遊技領域３７の外側に配置されるため、当該回転式振分装置２９４が大型の役物であっても遊技盤５に適切に取り付けることができる。さらに、回転式振分装置２９４による遊技球を用いた役物動作が実行される部分は遊技領域３７の内部に配置されるため、回転式振分装置２９４による役物動作の視認性を確保して本来の役割を実行させることができる。
【００４５】
［本体枠の機構装着体、球タンク及びタンクレールの構成について］
図８及び図９に基づき説明する。図８はパチンコ機の本体枠に各種部材が組み付けられた状態を斜め右上後方から示す斜視図であり、図９は本体枠単体を斜め右上後方から示す斜視図である。
【００４６】
本体枠３の機構装着体１３には、タンク装着部１３３、レール装着部１３４、及び払出装置装着部１３５等がそれぞれ形成され、タンク装着部１３３には球タンク１３６が装着されている。球タンク１３６は、透明な合成樹脂材よりなり、島設備から供給される多数の遊技球が貯留可能な上方に開口する箱形状に形成されている。そして、球タンク１３６の遊技球の貯留状態が球タンク１３６の後側壁を透して視認可能となっている。また、球タンク１３６の底板部１３７の後側隅部には遊技球を放出する放出口１３８が形成されるとともに、底板部１３７は放出口１３８に向けて下傾する傾斜面に形成されている。
【００４７】
本体枠３の機構装着体１３には、そのタンク装着部１３３に下方に接近してレール装着部１３４が一体に形成され、そのレール装着部１３４にレール構成部材１３９が装着されることでタンクレール１５０が構成されるようになっている。すなわち、この実施形態において、レール装着部１３４は、本体枠３の上部横方向部分が所定深さ凹まされた状態で形成されており、その凹部の奥側壁をタンクレール１５０の前壁部１５１とし、その凹部の下縁部に沿って一端（図９に向かって左端）から他端（図９に向かって右端）に向けて下傾する傾斜状のレール棚１５５が形成されている。そして、レール棚１５５の横方向に延びる上向き面をレール受け部１５８としている。
【００４８】
レール装着部１３４に装着されてタンクレール１５０を構成するレール構成部材１３９は、レール装着部１３４の前壁部１５１との間にレール通路を構成する後壁部１５２と、傾斜状をなす下板部と、その下板部の上面の前後方向中央部に沿って突設されレール通路を前後複数列（この実施形態では前後２列）に区画する仕切り壁（いずれも図示しない）とを一体に備えて形成されている。このレール構成部材１３９は、レール装着部１３４に対し適宜の取付手段によって装着され、これによって、前後複数列のレール通路を備えたタンクレール１５０が構成されている。そして、球タンク１３６の放出口１３８から放出（自重によって落下）された遊技球がタンクレール１５０の前後複数列のレール通路の一端部においてそれぞれ受けられた後、遊技球が自重によってレール通路に沿って転動することでレール通路の他端部に向けて流れるようになっている。また、この実施形態において、レール構成部材１３９は、透明な合成樹脂材より形成され、これによって、レール通路内の遊技球の流れ状態が、レール構成部材１３９の後壁部１５２を透して視認可能となっている。
【００４９】
タンクレール１５０（レール装着部１３４）の前壁部１５１は、遊技盤５の後側に突出する装備品（例えばセンター役物９１）における後部の上端部との干渉を避けるため第１空間部を隔てた状態で設けられている。また、この実施形態において、本体枠３の後端部となるレール棚１５５の後端と、タンクレール１５０の後壁部は、球タンク１３６の後側壁と略同一面をなしている。言い換えると、球タンク１３６の後壁部に対しタンクレール１５０の後壁部が略同一面となる位置までタンクレール１５０が遊技盤５の後面より後方に離隔して配置されている。これによって、遊技盤５の後側とタンクレール１５０の前壁部１５１との間にセンター役物９１の後部との干渉を避けるための第１空間部が設けられるようになっている。
【００５０】
また、タンクレール１５０の上方には、レール通路を流れる遊技球を上下に重なることなく整列させる整流体１５６がその上部において軸１５７を中心として揺動可能に装着されている。この整流体１５６には、その中央部から下部において錘が設けられている。
【００５１】
［払出装置装着部及び球払出装置の構成について］
図８及び図９に基づき説明する。本体枠３の機構装着体１３の片側寄りの上下方向には、次に述べる球払出装置（球払出ユニット）１７０に対応する縦長の払出装置装着部１３５が形成されている。払出装置装着部１３５は、後方に開口部をもつ凹状に形成されている。また、払出装置装着部１３５の段差状をなす奥壁部（図示しない）の所定位置には、球払出装置１７０の払出モータ１７２（図４参照）が突出可能な開口部１７３が形成されている。
【００５２】
払出装置装着部１３５の凹部に球払出装置１７０が装着された状態において、遊技盤５との間には、第１空間部と前後方向に略同一レベルとなる第２空間部が設けられている。これによって、レール通路と球通路とが前後方向に略同一レベルで配置されている。また、本体枠３の後端、すなわち払出装置装着部１３５の周壁部後端、レール棚１５５の後端、球タンク１３６、タンクレール１５０及び球払出装置１７０のそれぞれの後面は略同一面をなしている。
【００５３】
球払出装置１７０は、払出装置装着部１３５の凹部と略同じ大きさの縦長のボックス形状をなし、払い出しに関する各種部品が装着されることでユニット化されている。なお、球払出装置１７０は、払出装置装着部１３５の凹部の後方開口部から嵌込まれて適宜の取付手段（例えば、弾性クリップ、係止爪、ビス等の取付手段）によって装着されるようになっている。
【００５４】
また、図示しないが、球払出装置１７０は、タンクレール１５０におけるレール通路の出口にそれぞれ連通する流入口を有する球通路が前後複数列（例えば前後２列）に区画されて形成されている。また、その内部に形成された前後複数列の球通路の下流部が二股状に分岐されて前後複数列の賞球及び貸球用球通路と球抜き用球通路とがそれぞれ形成されている。そして賞球及び貸球用球通路と球抜き用球通路との分岐部には、遊技球をいずれかの通路に振り分けて払い出すための回転体よりなる払出部材（図示しない）が正逆回転可能に配設されている。
【００５５】
［本体枠の後側下部の装備について］
図４及び図５に基づき説明する。本体枠３の前枠体１１の後側において、遊技盤装着枠１２よりも下方に位置する前枠体１１の後下部領域の片側（図５に向かって左側）には、発射レール１９の下傾端部の発射位置に送られた遊技球を発射するための発射ハンマー（図示しない）、その発射ハンマーを作動する発射モータ１９２等が取付基板１９３に組み付けられてユニット化された発射装置１９４が装着されている。また、前枠体１１の後下部領域の略中央部には、電源基板１９５を収容する電源基板ボックス１９６が装着されている。
【００５６】
［後カバー体の構成について］
図５及び図６に基づき説明する。図６はパチンコ機の後側全体を右上後方から示す斜視図である。
【００５７】
遊技盤５後面に配置された上述の制御基板ボックス１３２の後端部は機構装着体１３の中央部に開口された窓開口部に向けて突出している。そして、機構装着体１３の窓開口部の一側壁を構成する側壁部と他側壁を構成する払出装置装着部１３５の片側壁との間には、不透明な合成樹脂材によって略方形の箱形状に形成された後カバー体２１０がカバーヒンジ機構２１１によって開閉並びに着脱可能に装着されている。
【００５８】
後カバー体２１０は、略四角形状の後壁部２１２と、その後壁部２１２の外周縁から前方に向けて突出された周壁部２１３とから一体に構成されている。後カバー体２１０の周壁部２１３のうち、一側の壁部２１３ａには、機構装着体１３の側壁部の上下及び中間の計３箇所に形成されたヒンジ体２１４のヒンジ孔の上方からそれぞれ着脱可能に嵌込まれるヒンジピン２１５を下向きに有するヒンジ体２１６が一体に形成されている。また、後カバー体２１０の周壁部２１３のうち、他側の壁部２１３ｂには、払出装置装着部１３５の片側壁に形成された係止孔に弾性的に係合可能な係止爪を有する弾性閉止体２１７が一体に形成されている。
【００５９】
すなわち、後カバー体２１０は、その上下及び中間のヒンジ体２１６の各ヒンジピン２１５が機構装着体１３の側壁部のヒンジ体２１４のヒンジ孔の上方からそれぞれ嵌込まれる。この状態で、ヒンジピン２１５を中心として後カバー体２１０が機構装着体１３の他側に向けて回動されながら、その弾性閉止体２１７を払出装置装着部１３５の片側壁の係止孔に差し込んで弾性的に係合させることで、機構装着体１３の後側に後カバー体２１０が閉じ状態で保持される。そして、このような後カバー体２１０によって、遊技盤５後面の制御基板ボックス１３２などを覆うようにしている。ただし、制御基板ボックス１３２のうちの検査用コネクタ２１８と接続される部分は、後カバー体２１０によって覆われることなく露出されている。
【００６０】
後カバー体２１０には、多数の放熱孔２３０、２３１、２３２、２３３が貫設されており、これら多数の放熱孔２３０、２３１、２３２、２３３から内部の熱が放出されるようになっている。この実施形態において、後カバー体２１０には、その周壁部２１３から後壁部２１２に延びる多数のスリット状の放熱孔２３０が貫設され、後壁部２１２の略中間高さ位置から上部においては多数の長円形、楕円形等の放熱孔２３１が貫設され、後壁部２１２の下部には多数の長円形、楕円形等の放熱孔２３２と所定数の横長四角形状の放熱孔２３３が貫設されている。
【００６１】
また、横長四角形状の放熱孔２３３は、制御基板ボックス１３２の封印ねじ（封印部材）によって封印される複数の並列状の封印部２３５の列の大きさ及び配設位置に対応する大きさ及び位置に貫設されている。これによって、不透明な後カバー体２１０が閉じられた状態であっても、制御基板ボックス１３２の複数の並列状の封印部２３５が放熱孔２３３の部分において視認可能に露出される。このため、後カバー体２１０が閉じられた状態であっても、制御基板ボックス１３２の封印部２３５の封印状態を容易に視認することができる。また、不透明な合成樹脂材は、透明な合成樹脂材と比べ、リサイクル使用される合成樹脂材を材料として用いることが容易であるため、後カバー体２１０を安価に製作することができる。
【００６２】
後カバー体２１０の周壁部２１３のうち、上側壁部２１３ｃの所定位置（この実施形態では左右２箇所）には、電源コード（図示しない）を適宜に折り畳んだ状態で保持する略Ｃ字状でかつ弾性変形可能なコード保持体２３７が上方のタンクレール１５０の後壁面（レール構成部材１３９の後壁面）に向けて延出されている。このコード保持体２３７の先端部には、同コード保持体２３７を弾性変形させて電源コードを取り外すためのつまみが形成されている。
【００６３】
電源コードは、その一端が分電基板２３８の基板コネクタ２３９に取り外し可能に接続され、他端の電源プラグが電源コンセントに差し込まれる。前記したように、後カバー体２１０にコード保持体２３７を一体に形成して電源コードを保持することで、パチンコ機を運搬・保管する際に電源コードがぶらついて邪魔になったり、異物に引っ掛かる不具合を防止することができる。
【００６４】
［本体枠の後側下部の下皿用球誘導体等の構成について］
図２及び図７に基づき説明する。図７は、図６に示すパチンコ機の斜視図から後ろカバー及び各種制御基板等を取り外した状態を示す斜視図である。
【００６５】
本体枠３の後下部領域の他側寄り部分（ヒンジ寄り部分）には、そのスピーカボックス部１６の後段差部の凹み部分において下皿用球誘導体２５３が装着されている。この下皿用球誘導体２５３は、球払出装置１７０の賞球及び貸球用球通路から上皿連絡路（図示しない）を経て上皿５１に払い出された遊技球が満杯になったときに、上皿連絡路の遊技球を下皿３１に導くためのものである。
【００６６】
なお、この実施形態において、下皿用球誘導体２５３の後壁外面には、インターフェース基板２５２を収納している基板ボックス２５４が装着されている。なお、インターフェース基板２５２は、パチンコ機１に隣接して設置される球貸機と遊技球の払い出しにかかる制御を行う制御装置との間に介在され、球貸に関する信号を球貸機と同制御装置との間で送受信可能に電気的に接続するようになっている。
【００６７】
［遊技領域に設けられる各部材の具体的構成について］
図３に示されるように、この実施の形態にかかる遊技領域３７は、センター役物９１に対して右側に位置する右遊技領域３７ａと、センター役物９１に対して左側に位置する左遊技領域３７ｂと、を遊技球が打ち分け可能となるように有している。なお、この実施の形態では、遊技者によって操作ハンドル３２が操作されたとき、上記遊技領域３７には６０秒間に９８個の遊技球が打ち込まれる。
【００６８】
ここで、上記左遊技領域３７ｂには、多数の障害釘が、該左遊技領域３７ｂに打ち分けられた遊技球の多くが上記風車（規制手段）９２まで案内される配列をもって設けられている。そして、上記風車９２は、同左遊技領域３７ｂに打ち分けられた遊技球の流下方向を変化させてそれら遊技球を上記第１の特別図柄始動口９３へと通じる流下経路（第１の特別図柄始動口９３側からの当たりルート）と、上記普通図柄始動口９６へと通じる流下経路（普通図柄始動口９６側からの当たりルート）とのいずれかに振り分ける部材として設けられている。なお上述の通り、上記風車９２による振り分け先となる上記普通図柄始動口９６及び上記第１の特別図柄始動口９３はいずれも、遊技領域３７を流下する遊技球に対して常に開放された通過口、あるいは受入口として構成されている。
【００６９】
次に、上記風車（規制手段）９２によって振り分けられる上記２つの当たりルートについて詳述する。なお上述の通り、この実施の形態では、遊技球の検出や普通抽選、特別抽選などの各種処理については、上記遊技盤５の背後に設けられる適宜の制御装置によって行われる。
【００７０】
＜第１の特別図柄始動口９３側からの当たりルート＞
すなわち、上記風車９２によって振り分けられた遊技球が上記第１の特別図柄始動口９３に入球したときはまず、適宜のセンサによって当該入球があったことが検出される。次いで、該検出に応じた第１の特別抽選を保留状態とする処理が行われる（ただし、最大で１回分）。そして次に、上記保留状態が解除されて第１の特別抽選の実行が開始されるとともに、この結果が上記可動片１４２の動作契機となる当たり（始動当たり）であるか否かについての判断処理が行われる。ただし、この実施の形態にかかる当該判断処理では、上記始動当たりが必ず当選されるようになっている。したがって、この判断処理が行われた後は、上記始動当たりの当選に応じて上記機械抽選装置の内部領域の遊技球の進入が可能となるように上記可動片１４２の駆動制御が行われる（第１の駆動制御手段）。そして、該駆動制御によって上記内部領域に遊技球が進入したときは、該進入した遊技球が上記特定領域に受け入れられるか否かについての抽選処理が上記回転式振分装置２９４によって行われることとなる。
【００７１】
＜普通図柄始動口９６側からの当たりルート＞
一方、上記風車９２によって振り分けられた遊技球が上記普通図柄始動口９６を通過したときはまず、適宜のセンサによって当該通過のあったことが検出される。次いで、該検出に応じた普通抽選を保留状態とする処理が行われる（ただし、最大で４回分）。そして次に、上記保留状態が解除されて普通抽選の実行が開始されるとともに、この結果が上記普通電動役物（可動部材）８１の動作契機となる当たり（ゲート当たり）であるか否かについての判断処理が行われる。この実施の形態にかかる当該判断処理では、上記ゲート当たりの当たり確率は「１／２４０」に設定されており、その当否の結果は上記演出表示装置１１５を通じて遊技者に示唆されるようになっている。したがって、この判断処理では、上記ゲート当たりは当選されないことが多く、通常は、上記普通電動役物８１が開閉動作されることなく、次の普通抽選などの処理が行われることとなる。
【００７２】
これに対し、上記判断処理において、上記ゲート当たりが当選されたときは、上記ゲート当たりの当選に応じて上記第２の特別図柄始動口８２への遊技球の入球が可能となるように上記普通電動役物８１の駆動制御が行われる。なお、この駆動制御は、上記第２の特別図柄始動口８２に遊技球が入球されるために十分なだけの時間（例えば、６０秒間に９８個の遊技球が打ち込まれる上記条件のもとで、「６０／９８」秒よりも長い時間）を要して行われる。ただし、この実施の形態にかかる第２の特別図柄始動口８２は、右遊技領域３７ａに打ち分けられた遊技球のみが入球可能となる位置に設けられている。したがってこの場合、遊技者は、上記操作ハンドル３２を操作することで、左遊技領域３７ｂに打ち分けている遊技球を上記右遊技領域３７ａに打ち分けることで、上記第２の特別図柄始動口８２への遊技球の入球を狙うこととなる。そしてこの結果、上記右遊技領域３７ａに打ち分けられた遊技球が上記第２の特別図柄始動口８２に入球したときは、適宜のセンサによって当該入球があったことが検出される。次いで、該検出に応じた第２の特別抽選の実行が開始されるとともに、この結果が上記可動片１４２の動作契機となる当たり（始動当たり）であるか否かについての判断処理が行われる。そして上述の通り、この実施の形態にかかる当該判断処理では、上記始動当たりが必ず当選されることから、この判断処理が行われた後は、上記始動当たりの当選に応じて上記機械抽選装置の内部領域の遊技球の進入が可能となるように上記可動片１４２の駆動制御が行われる（第２の駆動制御手段）。そして、該駆動制御によって上記内部領域に遊技球が進入したときは、該進入した遊技球が上記特定領域に受け入れられるか否かについての抽選処理が上記回転式振分装置２９４によって行われることとなる。
【００７３】
このように、この実施の形態にかかるパチンコ機１では、上記風車（規制手段）９２によって振り分けられる２つの当たりルートのいずれを経ても、上記機械抽選装置の内部領域への遊技球の進入、さらには該進入した遊技球が上記特定領域へと通じる流下経路３４３に振り分けられることを期待することが可能である。すなわち、この抽選処理にて上記特定領域３４３に遊技球が受け入れられたときには、遊技者に有利な特典としての特別遊技状態が発生するようになる。なお、このような構成から明らかなように、この実施の形態では、上記機械抽選装置の内部領域への遊技球の進入が可能となるように上記可動片１４２の駆動制御が実行される回数を、上記第２の特別図柄始動口８２でなく、上記ゲート当たりの有無にかからわず遊技球を常に受け入れ可能な第１の特別図柄始動口９３によって稼ぐようにしている。
【００７４】
しかも、この実施の形態にかかるパチンコ機１では、上記回転式振分装置２９４による回転態様を変化させることなく、上記機械抽選装置の内部領域に進入した遊技球が上記特定領域に振り分けられる確率を、第１の特別図柄始動口９３側からの当たりルートを経たときと普通図柄始動口９６側からの当たりルートを経たときとで異ならしめるようにしている。
【００７５】
すなわち、上記回転式振分装置２９４は、図１５（ａ）に示される基準回転角度（基準位置）を有しており、上記可動片１４２の駆動制御が行われないときには当該基準回転角度にて停止している。そして、上記可動片１４２の駆動制御が行われたときに当該基準回転角度から時計回りにて一周だけ回転動作するようになっている。なお、この実施の形態にかかる回転式振分装置２９４は、２秒間強の時間を要して一周する。また、この実施の形態にかかる基準回転角度とは、より具体的には、図１５（ａ）に示されるように、上記特定領域へと通じる流下経路３４３が上記内部流下経路３４０と接続されず、且つ、当該回転式振分装置２９４が回転（動作）したときに上記一般領域へと通じる流下経路３４４のほうが先に上記内部流下経路３４０と接続される位置である。
【００７６】
このような構成では、上記回転式振分装置２９４が基準回転角度にあるときに上記可動片１４２の駆動制御が行われると、当該回転式振分装置２９４はまず、上記内部流下経路３４０に対して上記一般領域へと通じる流下経路３４４が接続される動作を開始するようになる（前半動作）。この前半動作では、図１５（ｄ）に併せて示すように、上記可動片１４２の駆動制御があったときから第１の時間ｔ１が経過するまでは、上記回転式振分装置２９４の第１の外周壁２９４ａを上記内部流下経路３４０に対して位置させる。そして、上記第１の時間ｔ１が経過した後は、図１５（ｂ）に併せて示すように、一般領域へと通じる流下経路３４４を上記内部流下経路３４０に対して位置させる。これにより、上記可動片１４２の駆動制御があったときから第１の時間ｔ１が経過するまでに上記機械抽選装置の内部領域に進入した遊技球は、上記回転式振分装置２９４の第１の外周壁２９４ａと当接されるかたちで上記内部流下経路３４０にて停留されるようになる。そして、上記第１の時間ｔ１において、上記一般領域へと通じる流下経路３４４と上記内部流下経路３４０とが接続されると、上記内部流下経路３４０にて停留されていた遊技球が上記流下経路３４４に案内され、ひいては一般領域に受け入れられるようになる。
【００７７】
ただし、上記可動片１４２の駆動制御があったときから１秒が経過すると、このような流下経路３４４と内部流下経路３４０との接続は解除される。したがって、上記回転式振分装置２９４は次に、上記内部流下経路３４０に対して上記特定領域へと通じる流下経路３４３が接続される動作を開始することとなる（後半動作）。この後半動作でも、図１５（ｄ）に併せて示すように、当該後半動作が開始されてから第２の時間ｔ２が経過するまでは、上記回転式振分装置２９４の第２の外周壁２９４ｂを上記内部流下経路３４０に対して位置させる。そして、上記第２の時間ｔ２が経過した後は、図１５（ｃ）に併せて示すように、特定領域へと通じる流下経路３４３を上記内部流下経路３４０に対して位置させる。これにより、上記後半動作が開始されてから上記第２の時間ｔ２が経過するまでに上記機械抽選装置の内部領域に進入した遊技球は、上記回転式振分装置２９４の第２の外周壁２９４ｂと当接されるかたちで上記内部流下経路３４０にて停留されるようになる。そして、上記第２の時間ｔ２において、上記特定領域へと通じる流下経路３４３と上記内部流下経路３４０とが接続されると、上記内部流下経路３４０にて停留されていた遊技球が上記流下経路３４３に案内され、ひいては特定領域に受け入れられるようになる。なお、回転式振分装置２９４は、この後半動作が行われた後は、図１５（ａ）に示される基準回転角度まで回転した時点で停止する。
【００７８】
そして、上記回転式振分装置２９４によるこのような回転動作態様に対し、第１の特別図柄始動口９３側からの当たりルートを経て行われる上記可動片１４２の駆動制御では、上記機械抽選装置の内部領域への遊技球の進入が可能となる第１の開放時間が「９９／１００」の確率にて０．５秒となり、「１／１００」の確率にて１．８秒となるようにしている。また、第２の特別図柄始動口８２側からの当たりルートを経て行われる上記可動片１４２の駆動制御では、上記機械抽選装置の内部領域への遊技球の進入が可能となる第２の開放時間が必ず１．８秒となるようにしている。
【００７９】
すなわち、この実施の形態にかかる始動当たりは、０．５秒の開放期間が対応付けられた短当たりと、１．８秒の開放期間が対応付けられた長当たりとを当選種として有しており、上記第１の特別図柄始動口９３に遊技球が受け入れられたときに当選される上記始動当たりについては、上記短当たりの当たり分配率を「９９／１００」、上記長当たりの当たり分配率を「１／１００」に設定している。また併せて、上記第２の特別図柄始動口８２に遊技球が受け入れられたときに当選される上記始動当たりについては、上記短当たりの当たり分配率を「０／１００」、上記長当たりの当たり分配率を「１００／１００」に設定することで、上述の駆動制御態様を実現するようにしている。
【００８０】
このような駆動制御態様では、上記回転式振分装置２９４による回転態様と相まって、上記短当たり（０．５秒開放）が当選されたことに応じて上記機械抽選装置の内部領域に進入した遊技球は、上記内部流下経路３４０にて停留された後、上記第１の時間ｔ１が経過した時点で上記一般領域に受け入れられることとなる。一方、上記長当たり（１．８秒開放）が当選されたことに応じて上記機械抽選装置の内部領域に進入した遊技球は、その進入タイミングによっては、上記特定領域に受け入れられることとなる。すなわち、上記前半動作が行われている期間中に進入した遊技球は一般領域に受け入れられるものの、上記後半動作が行われている期間中（特定のタイミング）に進入した遊技球は特定領域に受け入れられる。これにより、上記機械抽選装置の内部領域に進入した遊技球が上記特定領域に振り分けられる確率が、第１の特別図柄始動口９３側からの当たりルートを経たときと普通図柄始動口９６側からの当たりルートを経たときとで大きく異なるようになり、ひいては遊技の興趣の低下が抑制されるようになる。
【００８１】
ただし、上記回転式振分装置２９４によるこのような遊技球の振分態様では、０．５秒の開放期間が対応付けられた上記短当たりが当選された時点で、該当選に応じた補助遊技では上記特定領域に遊技球が振り分けられないことが確定してしまう。したがって、遊技者は、上記可動片１４２の駆動制御によって開放された内部領域に遊技球を進入させようとすることすら行わなくなり、遊技の興趣の低下が避けられない。
【００８２】
そこで、この実施の形態では、上記回転式振分装置２９４は、上記可動片１４２の一動作期間（短当たりのときは０．５秒、長当たりのときは１．８秒）内に上記機械抽選装置の内部領域に２個以上の遊技球が進入したときは、それら遊技球のうちの少なくとも１つを上記特定領域に必ず振り分けるようにした。すなわち、この実施の形態にかかる内部流下経路３４０は、最大２個の遊技球を停留可能であり、３個目以降の遊技球については上記回転式振分装置２９４に供給することなく、図示しない排出口から排出させる構造となっている。そしてこの上で、上記一般領域へと通じる流下経路３４４は、上記一般領域へと通じる流下経路３４４と上記内部流下経路３４０とが接続される期間（第１の時間ｔ１から１秒までの期間）内に１つの遊技球のみが振り分け可能となるように構成されている。これにより、上記短当たりが当選されたときの０．５秒の開放期間内に上記機械抽選装置の内部領域に２つの遊技球が進入したときは、一方の遊技球が上記一般領域へと通じる流下経路３４４に振り分けられ、他方の遊技球が上記特定領域へと通じる流下経路３４３に振り分けられるようになる。したがって、上記短当たりが当選された場合（風車９２によって上記第１の特別図柄始動口９３側に遊技球が振り分けられた場合）であっても、特典付与への期待を持てるようになり、ひいては遊技の興趣の低下が抑制されるようになる。
【００８３】
しかも、この実施の形態では、上記機械抽選装置の内部領域に２個以上の遊技球が進入したときは、それら遊技球のうちの少なくとも１つが上記特定領域に必ず振り分けられる構成において、上記第１の特別図柄始動口９３に遊技球が受け入れられたことに応じて上記始動当たりが当選されたときに上記機械抽選装置の内部領域への遊技球の進入が可能となる第１の開放時間の期待値を「（６０／９８）×２」秒未満（６０秒間に９８個の遊技球が打ち込まれる条件のもとで計算上２個の遊技球が打ち込まれない時間）に設定するようにしている。また、上記第２の特別図柄始動口８２に遊技球が受け入れられたことに応じて上記始動当たりが当選されたときに上記機械抽選装置の内部領域への遊技球の進入が可能となる第２の開放時間の期待値を「（６０／９８）×２」秒以上（６０秒間に９８個の遊技球が打ち込まれる条件のもとで計算上２個の遊技球が打ち込まれる時間）に設定するようにしている。
【００８４】
すなわち上述の通り、この実施の形態では、上記可動片１４２の一動作期間内に上記機械抽選装置の内部領域に２個以上の遊技球が進入したときは、それら遊技球のうちの少なくとも１つを上記特定領域に必ず振り分けることで、上記第１の特別図柄始動口９３側からの当たりルートでも特典付与への期待を持てるようにしたものの、上記第１の特別図柄始動口９３とは、上記ゲート当たりの有無にかからわず常に遊技球を受け入れ可能な始動率（入球率）の高い受入口として設けられたものである。したがって、このような第１の特別図柄始動口９３側からの当たりルートにて上記特定領域に簡単に遊技球が受け入れられるようにしてしまうと、特典付与の際に遊技者に多量の賞球が払い出されるように上記出玉率を設定することが困難となってしまう。この点、この実施の形態では、第１の特別図柄始動口９３に遊技球が入球されたことに応じて始動当たりが当選されたときは、上記機械抽選装置の内部領域に計算上２個の遊技球が入球されない時間（第１の開放時間の期待値）だけ上記可動片１４２の駆動制御を行うようにした。これにより、上記第２の特別図柄始動口８２に遊技球が入球したことに応じて上記始動当たりが当選されたときの期待度を上述の如く高く設定しつつも、特典付与の際には遊技者に多量の賞球を払い出されるように上記出玉率を設定することができるようになる。また、第２の特別図柄始動口８２に遊技球が入球されたことに応じて始動当たりが当選されたときは、上記機械抽選装置の内部領域に計算上２個の遊技球が入球される時間（第２の開放時間の期待値）だけ上記可動片１４２の駆動制御を行うようにした。すなわちこの場合、当該駆動制御が行われたときにはほぼ確実に遊技球が上記特定領域に振り分けられるようになることから、遊技の興趣の向上を図ることができるようになる。
【００８５】
なお、この実施の形態において、上記第１の開放時間の期待値は０．５１３秒であり、上記第２の開放時間の期待値は１．８秒である。また、短当たりでは計算上２個の遊技球が入らないものの、遊技領域３７に設けられている障害釘などをうまく利用して遊技球を打ち込むようにすれば、０．５秒の開放期間内に２個の遊技球を上記内部領域に進入させることは可能である。
【００８６】
ちなみに、上記右遊技領域３７ａであって、上記第２の特別図柄始動口８２の上側には、２つの通過口８８、８９が縦方向に並ぶように設けられている。
【００８７】
ここで、上記２つの通過口８８、８９のうちの上側に位置する通過口８８は、上記普通図柄始動口９６と同等の機能を有するものであり、該通過口８８を遊技球が通過したときは上記普通電動役物８１の動作契機となるゲート当たりについての普通抽選が行われる。すなわち、例えば上記特典が付与された後の所定期間を、上記普通電動役物８１が動作するときの動作時間が延長される遊技状態（いわゆる時短状態）に制御するようにした場合、上記第２の特別図柄始動口８２への遊技球の入球確率は高くなる。ただしこの際、左遊技領域３７ｂに設けられる普通図柄始動口９６と、右遊技領域３７ａに設けられる第２の特別図柄始動口８２との間で遊技球をその都度左右に打ち分けるようにしなければならず、遊技が煩雑なものとなってしまう。この点、上記右遊技領域３７ａにもう１つの普通図柄始動口として機能する通過口８８を設けるようにした上記構成では、上記時短状態に移行した後は、上記右遊技領域３７ａに遊技球を常に打ち分けるようにするだけで、上記普通抽選が行われるとともに上記第２の特別図柄始動口８２に遊技球が入球されるようになり、遊技が簡易なものとなる。
【００８８】
また上述の通り、このような時短状態では、上記通過口８８に遊技球が通過した時点で、上記第２の特別図柄始動口８２に遊技球が入球されること、該入球に応じた第２の特別抽選にて始動当たりが当選されること、該当選に応じた補助遊技にて上記内部領域に進入した遊技球が上記特定領域に受け入れられること、がいずれもほぼ確定される。そして、このような構成のもとで、上記通過口８８を通過した遊技球が通過するように上記通過口８９を設けるようにしたため、例えば該通過口８９を遊技球が通過したことを適宜のセンサにて検出するようにすれば、該検出のあった時点（第２の始動抽選や、補助遊技が行われるよりも前の段階）で、上記特定領域３４３に遊技球がほぼ確実に（極めて高い確率にて）振り分けられる旨を上記演出表示装置１１５に表示することが可能となる。
【００８９】
以上説明したように、この実施の形態にかかる遊技機によれば、以下のような多くの優れた効果が得られるようになる。なお、以下に列記する効果（１）〜（１４）は、この実施の形態にかかる遊技機によって得られる効果の一例である。
【００９０】
（１）第２の特別図柄始動口（低始動率始動口）８２に遊技球が入球したことに応じて上記始動当たりが当選されたときは、上記第２の駆動制御手段による上記可動片１４２の駆動制御態様と上記回転式振分装置２９４による遊技球の振分態様とが相まって、上記機械抽選装置の内部領域に入球した遊技球は極めて高い確率で上記特定領域（流下経路３４３）に受け入れられるようになる。すなわち、このような極めて高い確率（当たり確率）で上記特定領域に遊技球が受け入れられる抽選処理（回転式振分装置２９４による振分け）を、第１の特別図柄始動口（高始動率始動口）９３に遊技球が入球したことに応じて上記始動当たりが当選されたときに行われる抽選処理（回転式振分装置２９４による振分け）とは別の当たり確率をもった抽選処理として行うようにしたことで、遊技の興趣の低下が好適に抑制されるようになる。
【００９１】
（２）機械抽選装置の内部領域への遊技球の進入が可能となるように上記可動片１４２の駆動制御が実行される回数を、上記第２の特別図柄始動口８２でなく、上記普通電動役物８１の動作にかかわらず常に受け入れ可能な第１の特別図柄始動口９３によって稼ぐようにしている。すなわち、第１の特別図柄始動口９３に遊技球が入球されたときは、上記第１の駆動制御手段による上記可動片１４２の駆動制御態様と上記回転式振分装置２９４による遊技球の振分態様とが相まって、上記第２の駆動制御手段による場合よりも低い確率で上記特定領域に遊技球が受け入れられる抽選処理（回転式振分装置２９４による振分け）が行われることとなる。したがって、第２の特別図柄始動口８２に遊技球が入球したことに応じて上記始動当たりが当選されたときの期待度を上述の如く高く設定しつつも、特典付与の際には遊技者に多量の賞球を払い出すことができるようになる。また併せて、上記機械抽選装置の内部領域への遊技球の進入が可能となるための上記可動片１４２の駆動制御頻度（回転式振分装置２９４による振分けの頻度）も上記第１の特別図柄始動口９３によって好適に維持することができるようになり、ひいては遊技の興趣の低下が抑制されるようになる。
【００９２】
（３）上記特定領域には、上記内部領域に進入した遊技球のうち、上記可動片１４２の駆動制御があったときから所定時間（上記第１の開放時間の期待値よりも長い時間であり、上記実施の形態では１秒）が経過したにもかかわらず上記一般領域と上記特定領域とのいずれにも未だ振り分けられていない遊技球のみが振り分けられるようにした。すなわちこの場合、第１の特別図柄始動口９３に遊技球が入球されたことに応じて上記始動当たりが当選されたときは、上記機械抽選装置の内部領域に入球した遊技球は極めて高い確率で上記一般領域に受け入れられるようになる。すなわち、このような極めて高い確率で上記一般領域に遊技球が受け入れられる当たりルートと上記特定領域に遊技球がほぼ受け入れられる当たりルートとをもった遊技を提供するようにしたことで、単調な抽選処理のみが淡々と行われることによって遊技の興趣が低下するようなことがより確実に回避されるようになる。また、第１の特別図柄始動口９３側からの当たりルートをこのように低い当たり確率としたことで、上記機械抽選装置の内部領域への遊技球の進入が可能となるように上記可動片１４２の駆動制御が実行される回数を第１の特別図柄始動口９３によって稼ぐにあたり、特典付与の際に遊技者に払い出される賞球量に大きな影響が及ぼされるようなことが回避されるようになる。
【００９３】
（４）上記第１の駆動制御手段は、上記第１の開放時間として複数の開放時間（０．５秒、１．８秒）を予め用意しており、上記可動片１４２の駆動制御に際し、それら開放時間のうちのいずれか１つを選択するとともに、該選択した開放時間だけ上記機械抽選装置の内部領域への遊技球の進入が可能となるように上記可動片１４２の駆動制御を行うようにした。すなわちこの場合、第１の特別図柄始動口に遊技球が入球されたことに応じて上記始動当たりが当選されたときは、可動片１４２の駆動制御にかかる制御態様（開放時間）がその都度異なるようになることから、遊技の幅が広がり、これによって遊技の興趣の向上が期待できるようになる。
【００９４】
（５）上記第１の駆動制御手段によって予め用意される上記複数の開放時間には、上記所定時間（上記第１の開放時間の期待値よりも長い時間であり、上記実施の形態では１秒）以上の長さをもった開放時間（１．８秒）を含むようにした。このため、第１の特別図柄始動口９３側からの当たりルートであっても、このような開放時間（長当たり：１．８秒）が選択された場合には、上記回転式振分装置２９４による遊技球の振分態様と相まって、上記機械抽選装置の内部領域に入球した遊技球は極めて高い確率で上記特定領域に受け入れられるようになり、ひいては遊技の興趣の低下が抑制されるようになる。
【００９５】
（６）上記第２の駆動制御手段は、上記第２の開放時間として上記所定時間（上記第１の開放時間の期待値よりも長い時間であり、上記実施の形態では１秒）以上の長さをもった開放時間（長当たり：１．８秒）のみを予め用意しており、該用意された開放時間だけ上記機械抽選装置の内部領域への遊技球の進入が可能となるように上記可動片１４２の駆動制御を行うようにした。すなわちこの場合、第２の特別図柄始動口８２に遊技球が入球されたことに応じて上記始動当たりが当選されたときは、上記所定時間よりも必ず長い時間だけ上記機械抽選装置の内部領域への入球が可能となる。このため、第２の特別図柄始動口８２に遊技球が入球したことに応じて上記始動当たりが当選されたときは、上記回転式振分装置２９４による遊技球の振分態様と相まって、上記機械抽選装置の内部領域に入球した遊技球はほぼ確実に上記特定領域に受け入れられるようになり、これによって遊技の興趣の向上が期待できるようになる。
【００９６】
（７）上記機械抽選装置は、可動片１４２の駆動制御があったときから予め定められた一定の動作を開始する回転式振分装置２９４、及び機械抽選装置の内部領域に進入した遊技球を上記回転式振分装置２９４へと流下させる内部流下経路３４０を有して構成されるものとした。そしてこの上で、上記回転式振分装置２９４が、内部流下経路３４０に対して上記一般領域へと通じる流下経路３４４が接続される動作であって上記可動片１４２の駆動制御があったときから上記所定時間が経過するまでの期間中に行われる前半動作と、内部流下経路３４０に対して上記特定領域へと通じる流下経路３４３が接続される動作であって上記可動片１４２の駆動制御があったときから上記所定時間が経過した後の期間中に行われる後半動作と、を上記可動片１４２の駆動制御があったときから予め定められた一定の動作として順次開始するようにした。これにより、上記内部領域に進入した遊技球のうち、上記可動片１４２の駆動制御があったときから上記所定時間が経過するまでに進入した遊技球は、上記回転式振分装置２９４による前半動作によって上記一般領域に受け入れられるようになる。これに対し、上記可動片１４２の駆動制御があったときから上記所定時間が経過した後に進入した遊技球は、上記回転式振分装置２９４による後半動作によって上記特定領域に受け入れられるようになる。すなわち、上記所定時間が経過したにもかからわらず上記一般領域と上記特定領域とのいずれにも未だ振り分けられていない遊技球のみを上記特定領域に必ず振り分けることができるようになる。
【００９７】
（８）上記前半動作の実行期間中に上記機械抽選装置の内部領域に複数の遊技球が進入したとき、それら遊技球のうちの少なくとも１つを上記後半動作が行われるまで上記内部流下経路３４０にて停留させることとした。すなわちこの場合、該停留された遊技球は、上記機械抽選装置の内部領域に上記所定期間が経過する前に入球したものでありながら、上記所定期間が経過したにもかかわらず上記一般領域と上記特定領域とのいずれにも未だ振り分けられていない遊技球となって、上記回転式振分装置２９４による後半動作を通じて上記特定領域に振り分けられることとなる。したがって、上記第１の特別図柄始動口９３側からの当たりルートであっても、遊技者は、上記第１の開放期間中に複数の遊技球を上記機械抽選装置の内部領域に進入させるようにすることで、特典付与への期待をもって遊技を行うことができるようになる。
【００９８】
（９）第１の特別図柄始動口９３側からの当たりルートにて上記可動片１４２の駆動制御を行うときは、上記機械抽選装置の内部領域への遊技球の進入が可能となる第１の開放時間の期待値が「（６０／９８）×２」秒未満（６０秒間に９８個の遊技球が打ち込まれる条件のもとで計算上２個の遊技球が打ち込まれない時間）に設定するようにしている（第１の駆動制御手段）。また、普通図柄始動口９６側からの当たりルートにて上記可動片１４２の駆動制御を行うときは、上記機械抽選装置の内部領域への遊技球の進入が可能となる第２の開放時間の期待値が「（６０／９８）×２」秒以上（６０秒間に９８個の遊技球が打ち込まれる条件のもとで計算上２個の遊技球が打ち込まれない時間）となるようにした（第２の駆動制御手段）。またさらに、上記回転式振分装置２９４は、このような可動片１４２の駆動制御態様を利用して、上記内部領域に進入した遊技球のうち、第１の特別図柄始動口９３側からの当たりルートにて進入した遊技球についてはその多くを上記一般領域に振り分ける一方で、普通図柄始動口９６側からの当たりルートにて進入した遊技球についてはその多くを上記特定領域に振り分けるようにした（前半動作、後半動作）。すなわちこの場合、回転式振分装置２９４が予め定められた動作スケジュール（前半動作、後半動作）に沿って動作するだけのものでありながらも、第１の特別図柄始動口９３側からの当たりルートと、普通図柄始動口９６側からの当たりルートとで、上記機械抽選装置の内部領域に遊技球が進入したときに期待できる当たり確率（特定領域に遊技球が受け入れられる確率）を大きく異ならしめることができるようになる。そしてこの上で、上記風車９２が、左遊技領域３７ｂに打ち分けられた遊技球の流下方向を変化させて、上述のように全く異なる遊技性を有する第１の特別図柄始動口９３側からの当たりルートと、普通図柄始動口９６側からの当たりルートとのいずれかに振り分けて遊技者に遊技を行わせるようにしたため、遊技者に飽きが生じ難くなり、ひいては遊技の興趣の低下が抑制されるようになる。
【００９９】
（１０）上記回転式振分装置２９４を、機械抽選装置の内部領域に進入した遊技球のうち、該内部領域に特定のタイミング（上記後半動作が行われている期間内のいずれかのタイミング）にて進入した遊技球を上記特定領域に振り分けるものとした上で、上記第１の特別図柄始動口９３及び第２の特別図柄始動口８２のうちの上記第２の特別図柄始動口８２に遊技球が入球されたことに応じて上記始動当たりが当選されたときに限っては、上記可動片１４２が動作するときの動作期間（１．８秒開放）内に上記特定のタイミング（駆動制御があってから１秒経過後から２秒経過するまで）が必ず含まれるように上記可動片１４２の駆動制御を行うようにした。すなわちこの場合、上記特定領域に遊技球が入球され得ないようなかたちで補助遊技（内部領域の開放）が行われることがなくなり、これによって補助遊技（内部領域の開放）が行われたときの特典付与への期待度を高くすることができるようになる。すなわち、上記第２の特別図柄始動口８２に遊技球が入球されたことに応じて上記始動当たりが当選されたときは、遊技者は、上記特定のタイミングを狙って上記機械抽選装置の内部領域に遊技球を進入させるだけで遊技者に有利な特典が付与されるようになる。これにより、遊技球を狙い撃ちすることによって上記特定領域に遊技球が入球され易くするなどといった、補助遊技を採用する遊技機として内在される独自の遊技性を利用した遊技を提供することができるようになる。
【０１００】
（１１）第１の特別図柄始動口９３に遊技球が入球されたときは、可動片１４２が動作するときの動作期間内に上記特定のタイミングが必ずしも含まれないように上記可動片１４２の駆動制御が行われることから、上記第２の特別図柄始動口８２に遊技球が入球されたときよりも低い確率で上記特定領域に遊技球が受け入れられる抽選処理（回転式振分装置２９４による振り分け）が行われることとなる。したがって、第２の特別図柄始動口８２に遊技球が入球したことに応じて上記始動当たりが当選されたときの期待度を上述の如く高く設定しつつも、特典付与の際には遊技者に多量の賞球を払い出されるように上記出玉率を設定することができるようになる。また併せて、上記機械抽選装置の内部領域への遊技球の進入が可能となるための上記可動片の駆動制御頻度（回転式振分装置２９４による振り分けの頻度）も上記第１の特別図柄始動口９３によって好適に維持することができるようになり、ひいては遊技の興趣の低下が抑制されるようになる。
【０１０１】
（１２）可動片１４２が動作するときの動作期間内に上記特定のタイミングが含まれる第１の動作態様（長当たり時の動作態様）と、可動片１４２が動作するときの動作期間内に上記特定のタイミングが含まれない第２の動作態様（短当たり時の動作態様）とを予め区別して用意することとした。すなわち、可動片１４２が動作するときの動作期間内に上記特定のタイミングが含まれるか否かを上記可動片１４２の動作態様の種類との間で予め対応付けることとしたため、上記可動片１４２が動作するときの動作期間内に上記特定のタイミングを含ませるときの駆動制御や、上記特定のタイミングを含ませないときの駆動制御が簡易なものとなり、ひいては各種状況に合わせた上記可動片１４２の駆動制御を迅速に行うことができるようになる。
【０１０２】
（１３）第１の特別図柄始動口９３側からの当たりルートにて上記可動片１４２の駆動制御を行うときは、上記機械抽選装置の内部領域に計算上２個の遊技球が入球されない時間だけ上記可動片１４２の駆動制御を行うとともに（第１の駆動制御手段）、第２の特別図柄始動口８２側からの当たりルートにて上記可動片１４２の駆動制御を行うときは、上記機械抽選装置の内部領域に計算上２個の遊技球が入球される時間だけ上記可動片１４２の駆動制御を行うようにした（第２の駆動制御手段）。これに対し、上記回転式振分装置２９４は、上記可動片１４２の一動作期間内に上記機械抽選装置の内部領域に２個以上の遊技球が進入したときは、それら遊技球のうちの少なくとも１つを上記特定領域に必ず振り分けるようにしたため、普通図柄始動口９６側からの当たりルートにて上記可動片１４２の駆動制御が行われるときの特典付与への期待度が極めて高くなり、ひいては遊技の興趣の低下が抑制されるようになる。すなわちこの場合、可動片１４２の一動作期間中に上記機械抽選装置の内部領域に最初に進入した遊技球と、その次に進入した遊技球とでは、上記特定領域に受け入れられる確率が大幅に異なるようになる。
【０１０３】
（１４）上記回転式振分装置２９４が、内部流下経路３４０に対して上記一般領域へと通じる流下経路３４４が接続される動作であって上記可動片１４２の駆動制御があったときから計算上２個の遊技球が打ち込まれる時間（「（６０／９８）×２」秒）が経過するまでの期間中に行われる前半動作と、内部流下経路３４０に対して上記特定領域へと通じる流下経路３４３が接続される動作であって上記可動片１４２の駆動制御があったときから計算上２個の遊技球が打ち込まれる時間（「（６０／９８）×２」秒）が経過した後の期間中に行われる後半動作と、を上記可動片１４２の駆動制御があったときから予め定められた一定の動作として順次開始するようにした。これにより、上記内部領域に進入した遊技球のうち、上記可動片１４２の駆動制御があったときから計算上２個の遊技球が打ち込まれる時間（「（６０／９８）×２」秒）が経過するまでに進入した遊技球（計算上１個目の遊技球）は、上記回転式振分装置２９４による前半動作によって上記一般領域に受け入れられるようになる。これに対し、上記回転式振分装置２９４の駆動制御があったときから計算上２個の遊技球が打ち込まれる時間（「（６０／９８）×２」秒）が経過した後に進入した遊技球（計算上２個目の遊技球）は、上記回転式振分装置２９４による後半動作によって上記特定領域に受け入れられるようになる。これにより、可動片１４２の一動作期間内に上記機械抽選装置の内部領域に２個以上の遊技球が進入したとき、それら遊技球のうちの少なくとも１つを上記特定領域に計算上は振り分けることができるようになる。ただし、このような構成だけでは、上記可動片１４２の駆動制御があったときから計算上２個の遊技球が打ち込まれる時間（「（６０／９８）×２」秒）が経過するまでの期間中に２個の遊技球が入球してしまったとき、それらの遊技球のうちの少なくとも１つを上記特定領域に振り分けることができない。そこで、上記実施の形態ではさらに、上記前半動作の実行期間中に上記機械抽選装置の内部領域に複数の遊技球が進入したとき、それら遊技球のうちの少なくとも１つを上記後半動作が行われるまで上記内部流下経路３４０にて停留させるようにした。これにより、可動片１４２の一動作期間内に上記機械抽選装置の内部領域に２個以上の遊技球が進入したとき、それら遊技球のうちの少なくとも１つを上記特定領域に必ず振り分けることができるようになる。
【０１０４】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【０１０５】
・上記実施の形態にかかる回転式振分装置２９４は、上記可動片１４２の一動作期間内に２個以上の遊技球が上記内部領域に進入したときと、上記特定のタイミング（上記後半動作が行われている期間内のいずれかのタイミング）にて進入したときとのいずれかの条件が満たされたときに、該進入した遊技球を上記特定領域に振り分けるようにした。ただし、上記可動片１４２の一動作期間内に２個以上の遊技球が上記内部領域に進入したときのみ、該進入した遊技球を上記特定領域に振り分けるようにしてもよい。また逆に、上記特定のタイミング（上記後半動作が行われている期間内のいずれかのタイミング）にて進入したときのみ、該進入した遊技球を上記特定領域に振り分けるようにしてもよい。
【０１０６】
・上記第２の特別図柄始動口８２に遊技球が入球したとき、該入球に応じた第２の特別抽選をするようにしてもよい。すなわちこの場合、第２の特別抽選の保留が解除される都度、長当たりが当選されることとなり、これによって同保留数に応じた分だけ特典の付与が保留されたかのような印象を遊技者に与えることができるようになる。しかも、特典付与の後の遊技状態が所定の確率にて時短状態とされる遊技機にあって、上記第２の特別抽選を保留するようにした場合には、上記特典付与の後に時短状態に移行されなかったとしても、上記保留の状態とされている第２の特別抽選が行われることで（消化されることで）、ほぼ確実に特典が再度付与されることから、こうして特典が再度付与された後に時短状態に移行（復活）することが期待できるようになる。
【０１０７】
・一般領域は複数形成されていてもよい。
【０１０８】
・上記第１の特別抽選、及び上記第２の特別抽選による抽選結果に上記補助遊技が行われることなく特典が付与される当選種としての大当たりが含まれていてもよい。
【０１０９】
・上記内部流下経路３４０にて停留される遊技球の最大個数は２個でなくてもよく、適宜変更してもよい。例えば、上記内部流下経路３４０にて停留される遊技球の最大個数を１個にしてもよい。すなわちこの場合、上記前半動作の実行期間中に入球した遊技球は一般領域に振り分けられるか、上記回転式振分装置２９４に供給されることなく上記排出口（図示略）を通じて上記内部領域から排出されることとなる。
【０１１０】
・上記可動片１４２の駆動制御があったときとは、上記特別抽選にて始動当たりが当選されたときであってもよいし、上記可動片１４２の駆動制御が実際に開始されたときであってもよい。
【０１１１】
・上記回転式振分装置２９４の回転速度は、必ずしも一定の速度にて１周するものでなくてもよい。また、上記回転式振分装置２９４は、１周以上回転するものであってもよいし、１週も回転しないものであってもよい。上記回転式振分装置２９４は、要は、基準回転角度を有し、上記可動片１４２の駆動制御があったときから常に同じ動作を行うものであればよい。
【０１１２】
・上記機械抽選装置内にて遊技球を振り分ける抽選機構は、必ずしも回転によって動作するものでなくてもよく、例えばシーソのような動きをすることで遊技球を振り分けるものであってもよい。
【０１１３】
次に、上記実施形態及び別例から把握できる技術的思想を以下に追記する。
【０１１４】
（技術的思想１）
遊技球が打ち込まれる遊技領域を有する遊技盤と、
可動片を有し、該可動片が動作したときにのみ内部領域への遊技球の進入が可能となる機械抽選装置と、
前記遊技領域に打ち込まれた遊技球を受け入れ可能な始動口と、
前記始動口に遊技球が入球されたとき、前記可動片の動作契機となる始動当たりについての抽選処理を行う始動抽選手段と、
前記始動抽選手段により前記始動当たりが当選されたとき、前記機械抽選装置の内部領域への遊技球の進入が可能となるように前記可動片の駆動制御を行う駆動制御手段と、を備え、
前記機械抽選装置の内部領域には、該内部領域に進入した遊技球を一般領域と特定領域とのいずれかに振り分ける抽選機構が設けられてなり、該抽選機構により前記特定領域に遊技球が振り分けられたとき、遊技者に特典が付与される遊技機において、
前記始動口への遊技球の入球確率が高くなるように動作可能な可動部材と、
前記遊技領域に打ち込まれた遊技球に対して常に開放された通過口を有するゲート手段と、
前記ゲート手段を遊技球が通過したとき、前記可動部材の動作契機となるゲート当たりについての抽選処理を行うゲート抽選手段と、
前記遊技領域に打ち込まれた遊技球の流下方向に変化を与える規制手段と、
を備え、
前記遊技領域は、遊技球を打ち分け可能な右遊技領域と左遊技領域とを有するものであり、
前記始動口は、
前記左遊技領域に打ち分けられた遊技球を、前記ゲート当たりに応じた前記可動部材の動作にかかわらず常に受け入れ可能な高始動率始動口、
前記右遊技領域に打ち分けられた遊技球を、前記ゲート当たりに応じた前記可動部材の動作があったときにのみ受け入れ可能な低始動率始動口、
を有して構成されるものであり、
前記駆動制御手段は、
前記高始動率始動口に遊技球が入球されたことに応じて前記始動当たりが当選されたときに前記機械抽選装置の内部領域への遊技球の進入が可能となる第１の開放時間の期待値が所定時間未満となるように前記可動片の駆動制御を行う第１の駆動制御手段、及び
前記低始動率始動口に遊技球が入球されたことに応じて前記始動当たりが当選されたときに前記機械抽選装置の内部領域への遊技球の進入が可能となる第２の開放時間の期待値が前記所定時間以上となるように前記可動片の駆動制御を行う第２の駆動制御手段、
を有するものであり、
前記抽選機構は、
前記可動片の駆動制御があったときから予め定められた一定の動作を開始する定動作装置、及び
前記機械抽選装置の内部領域に進入した遊技球を前記定動作装置へと流下させる内部流下経路、
を有し、前記定動作装置が、
前記内部流下経路に対して前記一般領域へと通じる流下経路が接続される動作であって前記可動片の駆動制御があったときから前記所定時間が経過するまでの期間中に行われる前半動作と、
前記内部流下経路に対して前記特定領域へと通じる流下経路が接続される動作であって前記可動片の駆動制御があったときから前記所定時間が経過した後の期間中に行われる後半動作と、
を前記可動片の駆動制御があったときから予め定められた一定の動作として順次開始することで、前記内部領域に進入した遊技球を前記一般領域と前記特定領域とのいずれかに振り分けるものであり、
前記規制手段は、
前記左遊技領域に打ち分けられた遊技球の流下方向を変化させてそれら遊技球を前記高始動率始動口へと通じる流下経路と、前記ゲート手段へと通じる流下経路とのいずれかに振り分けるようにした
ことを特徴とする遊技機。
【０１１５】
このような構成では、左遊技領域に打ち分けられた遊技球を、上記ゲート当たりに応じた上記可動部材の動作にかかわらず常に受け入れ可能な高始動率始動口と、右遊技領域に打ち分けられた遊技球を、上記ゲート当たりに応じた上記可動部材の動作があったときにのみ受け入れ可能な低始動率始動口とを有するようにしたことで、遊技者は、
・左遊技領域に打ち分けられた遊技球を上記高始動率始動口に入球させた後、機械抽選装置の内部領域に別の遊技球を進入させ、さらに該進入した遊技球を特定領域に入球させるルート（高始動率始動口側からの当たりルート）。
・左遊技領域に打ち分けられた遊技球がゲート手段を通過した後、右遊技領域に打ち分けられた遊技球を低始動率始動口に入球させ、その後、機械抽選装置の内部領域に別の遊技球を進入させ、さらに該進入した遊技球を特定領域に入球させるルート（ゲート手段側からの当たりルート）。
といった、２つのルートを通じて遊技者に有利な特典の付与を期待することができるようになる。
【０１１６】
また、上記駆動制御手段は、高始動率始動口側からの当たりルートにて上記可動片の駆動制御を行うときは、上記機械抽選装置の内部領域への遊技球の進入が可能となる第１の開放時間の期待値が所定時間未満となるようにするとともに（第１の駆動制御手段）、ゲート手段側からの当たりルートにて上記可動片の駆動制御を行うときは、上記機械抽選装置の内部領域への遊技球の進入が可能となる第２の開放時間の期待値が上記所定時間以上となるようにした（第２の駆動制御手段）。またさらに、上記抽選機構は、このような可動片の駆動制御態様を利用して、上記内部領域に進入した遊技球のうち、高始動率始動口側からの当たりルートにて進入した遊技球についてはその多くを上記一般領域に振り分ける一方で、ゲート手段側からの当たりルートにて進入した遊技球についてはその多くを上記特定領域に振り分けるようにした（定動作装置による前半動作、後半動作）。すなわちこの場合、定動作装置が予め定められた動作スケジュール（前半動作、後半動作）に沿って動作するだけのものでありながらも、高始動率始動口側からの当たりルートと、ゲート手段側からの当たりルートとで、上記機械抽選装置の内部領域に遊技球が進入したときに期待できる当たり確率（特定領域に遊技球が受け入れられる確率）を大きく異ならしめることができるようになる。
【０１１７】
そしてこの上で、上記規制手段が、左遊技領域に打ち分けられた遊技球の流下方向を変化させて、上述のように全く異なる遊技性を有する高始動率始動口側からの当たりルートと、ゲート手段側からの当たりルートとのいずれかに振り分けて遊技者に遊技を行わせるようにしたため、遊技者に飽きが生じ難くなり、ひいては遊技の興趣の低下が抑制されるようになる。
【０１１８】
なお、上記第１の開放時間の期待値とは、高始動率始動口に遊技球が入球されたことに応じて上記始動当たりが当選されたときに上記機械抽選装置の内部領域への遊技球の進入が可能となる第１の開放時間として期待しうる時間を平均化した値である。より具体的には、上記第１の開放時間としてＴ１、Ｔ２、・・・、Ｔｎが用意されているとき、それらの選択確率がそれぞれＰ１、Ｐ２、・・・Ｐｎであるとき、（Ｔ１×Ｐ１）＋（Ｔ２×Ｐ２）＋・・・＋（Ｔｎ×Ｐｎ）の値をいう。
【０１１９】
また、上記第２の開放時間の期待値も同様、低始動率始動口に遊技球が入球されたことに応じて上記始動当たりが当選されたときに上記機械抽選装置の内部領域への遊技球の進入が可能となる第２の開放時間として期待しうる時間を平均化した値であり、より具体的には、上記第２の開放時間としてｔ１、ｔ２、・・・、ｔｎが用意されているとき、それらの選択確率がそれぞれｐ１、ｐ２、・・・ｐｎであるとき、（ｔ１×ｐ１）＋（ｔ２×ｐ２）＋・・・＋（ｔｎ×ｐｎ）の値をいう。
【０１２０】
（技術的思想２）
前記第１の駆動制御手段は、前記第１の開放時間として複数の開放時間を予め用意しており、前記可動片の駆動制御に際し、それら開放時間のうちのいずれか１つを選択するとともに、該選択した開放時間だけ前記機械抽選装置の内部領域への遊技球の進入が可能となるように前記可動片の駆動制御を行うものである
技術的思想１に記載の遊技機。
【０１２１】
上記構成では、上記第１の駆動制御手段が、上記第１の開放時間として複数の開放時間を予め用意しており、上記可動片の駆動制御に際し、それら開放時間のうちのいずれか１つを選択するとともに、該選択した開放時間だけ上記機械抽選装置の内部領域への遊技球の進入が可能となるように上記可動片の駆動制御を行うようにした。すなわちこの場合、高始動率始動口に遊技球が入球されたことに応じて上記始動当たりが当選されたときは、可動片の駆動制御にかかる制御態様（開放時間）がその都度異なるようになることから、遊技の幅が広がり、これによって遊技の興趣の向上が期待できるようになる。なおこの場合、上記第１の開放時間の期待値は、上記予め用意されている複数の開放時間とそれらの選択確率とを各々積算した値となる。
【０１２２】
（技術的思想３）
前記第１の駆動制御手段によって予め用意される前記複数の開放時間には、前記所定時間以上の長さをもった開放時間が含まれる
技術的思想２に記載の遊技機。
【０１２３】
上記構成では、上記第１の駆動制御手段によって用意される上記複数の開放時間に上記所定時間以上の長さをもった開放時間を含むようにした。このため、高始動率始動口側からの当たりルートであっても、このような開放時間が選択された場合には、上記抽選機構による遊技球の振分態様と相まって、上記機械抽選装置の内部領域に入球した遊技球は極めて高い確率で上記特定領域に受け入れられるようになり、ひいては遊技の興趣の低下が抑制されるようになる。ただし、上記所定時間以上の長さをもった開放時間が選択される確率については、上記第１の開放時間の期待値が上記所定時間未満である条件が満たされる程度に低い確率として設定することとなる。
【０１２４】
（技術的思想４）
前記第２の駆動制御手段は、前記第２の開放時間として前記所定時間以上の長さをもった開放時間のみを予め用意しており、該用意された開放時間だけ前記機械抽選装置の内部領域への遊技球の進入が可能となるように前記可動片の駆動制御を行うものである
技術的思想１〜３のいずれか１つに記載の遊技機。
【０１２５】
上記構成では、上記第２の駆動制御手段が、上記第２の開放時間として上記所定時間以上の長さをもった開放時間のみを予め用意しており、該用意された開放時間だけ上記機械抽選装置の内部領域への遊技球の進入が可能となるように上記可動片の駆動制御を行うようにした。すなわちこの場合、低始動率始動口に遊技球が入球されたことに応じて上記始動当たりが当選されたときは、上記所定時間よりも必ず長い時間だけ上記機械抽選装置の内部領域への入球が可能となる。このため、低始動率始動口に遊技球が入球したことに応じて上記始動当たりが当選されたときは、抽選機構による遊技球の振分態様と相まって、上記機械抽選装置の内部領域に入球した遊技球はほぼ確実に上記特定領域に受け入れられるようになり、これによって遊技の興趣の向上が期待できるようになる。
【０１２６】
（技術的思想５）
前記定動作装置は、前記前半動作の実行期間中に前記機械抽選装置の内部領域に複数の遊技球が進入したとき、それら遊技球のうちの少なくとも１つを前記後半動作が行われるまで前記内部流下経路にて停留させる停留部を有するものである
技術的思想１〜３のいずれか１つに記載の遊技機。
【０１２７】
上記構成では、上記前半動作の実行期間中に上記機械抽選装置の内部領域に複数の遊技球が進入したとき、それら遊技球のうちの少なくとも１つを上記後半動作が行われるまで上記内部流下経路にて停留させることとした。すなわちこの場合、該停留された遊技球は、上記機械抽選装置の内部領域に上記所定期間が経過する前に入球したものであるにもかかわらず、上記所定期間が経過したにもかかわらず上記一般領域と上記特定領域とのいずれにも未だ振り分けられていない遊技球となって、上記定動作装置による後半動作を通じて上記特定領域に振り分けられることとなる。したがって、上記高始動率始動口側からの当たりルート（高始動率始動口に遊技球を入球させた後、内部領域に進入した遊技球を特定領域に入球させる当たりルート）であっても、遊技者は、上記第１の開放期間中に複数の遊技球を上記機械抽選装置の内部領域に進入させるようにすることで、特典付与への期待をもって遊技を行うことができるようになる。
【０１２８】
なお、上記技術的思想１〜５のいずれか１つに記載の遊技機は、以下の構成１〜３のいずれか１つを適宜に組み合わせたものであってもよい。なお、以下の構成１〜３は、上記実施形態及び別例から把握できるものであり、単独でも成立するものである。
【０１２９】
[構成１]
遊技球が打ち込まれる遊技領域を有する遊技盤と、
可動片を有し、該可動片が動作したときにのみ内部領域への遊技球の進入が可能となる機械抽選装置と、
前記遊技領域に打ち込まれた遊技球を受け入れ可能な始動口と、
前記始動口に遊技球が入球されたとき、前記可動片の動作契機となる始動当たりについての抽選処理を行う始動抽選手段と、
前記始動抽選手段により前記始動当たりが当選されたとき、前記機械抽選装置の内部領域への遊技球の進入が可能となるように前記可動片の駆動制御を行う駆動制御手段と、を備え、
前記機械抽選装置の内部領域には、該内部領域に進入した遊技球を一般領域と特定領域とのいずれかに振り分ける抽選機構が設けられてなり、該抽選機構により前記特定領域に遊技球が振り分けられたとき、遊技者に特典が付与される遊技機において、
前記始動口への遊技球の入球確率が高くなるように動作可能な可動部材と、
前記遊技領域に打ち込まれた遊技球に対して常に開放された通過口を有するゲート手段と、
前記ゲート手段を遊技球が通過したとき、前記可動部材の動作契機となるゲート当たりについての抽選処理を行うゲート抽選手段と、
を備え、
前記始動口は、
前記遊技領域に打ち込まれた遊技球を、前記可動部材の動作にかかわらず常に受け入れ可能な高始動率始動口、及び
前記遊技領域に打ち込まれた遊技球を、前記ゲート当たりに応じた前記可動部材の動作があったときにのみ受け入れ可能な低始動率始動口、
を有して構成されるものであり、
前記駆動制御手段は、
前記高始動率始動口に遊技球が入球されたことに応じて前記始動当たりが当選されたときに前記機械抽選装置の内部領域への遊技球の進入が可能となる第１の開放時間の期待値が所定時間未満となるように前記可動片の駆動制御を行う第１の駆動制御手段、及び
前記低始動率始動口に遊技球が入球されたことに応じて前記始動当たりが当選されたときに前記機械抽選装置の内部領域への遊技球の進入が可能となる第２の開放時間の期待値が前記所定時間以上となるように前記可動片の駆動制御を行う第２の駆動制御手段、
を有するものであり、
前記抽選機構は、
前記可動片の駆動制御があったときから前記所定時間が経過したにもかかわらず前記一般領域と前記特定領域とのいずれにも未だ振り分けられていない遊技球があるときは、該遊技球を前記特定領域に必ず振り分けるようにした
ことを特徴とする遊技機。
【０１３０】
このような構成では、低始動率始動口に遊技球が入球したことに応じて上記始動当たりが当選されたときは、上記第２の駆動制御手段による上記可動片の駆動制御態様と上記抽選機構による遊技球の振分態様とが相まって、上記機械抽選装置の内部領域に入球した遊技球は極めて高い確率で上記特定領域に受け入れられるようになる。すなわち、このような極めて高い確率（当たり確率）で上記特定領域に遊技球が受け入れられる抽選処理（抽選機構による振分け）を、高始動率始動口に遊技球が入球したことに応じて上記始動当たりが当選されたときに行われる抽選処理（抽選機構による振分け）とは別の当たり確率をもった抽選処理として行うようにしたことで、遊技の興趣の低下が好適に抑制されるようになる。
【０１３１】
しかも、上記構成では、上記機械抽選装置の内部領域への遊技球の進入が可能となるように上記可動片の駆動制御が実行される回数を、上記低始動率始動口でなく、上記可動部材の動作にかかわらず常に受け入れ可能な高始動率始動口によって稼ぐようにしている。すなわち、高始動率始動口に遊技球が入球されたときは、上記第１の駆動制御手段による上記可動片の駆動制御態様と上記抽選機構による遊技球の振分態様とが相まって、上記第２の駆動制御手段による場合よりも低い確率で上記特定領域に遊技球が受け入れられる抽選処理（抽選機構による振分け）が行われることとなる。したがって、低始動率始動口に遊技球が入球したことに応じて上記始動当たりが当選されたときの期待度を上述の如く高く設定しつつも、特典付与の際には遊技者に多量の賞球を払い出すことができるようになる。また併せて、上記機械抽選装置の内部領域への遊技球の進入が可能となるための上記可動片の駆動制御頻度（抽選機構による振分けの頻度）も上記高始動率始動口によって好適に維持することができるようになり、ひいては遊技の興趣の低下が抑制されるようになる。
【０１３２】
[構成２]
遊技球が打ち込まれる遊技領域を有する遊技盤と、
可動片を有し、該可動片が動作したときにのみ内部領域への遊技球の進入が可能となる機械抽選装置と、
前記遊技領域に設けられる可動部材と、
前記遊技領域に打ち込まれた遊技球に対して常に開放された通過口を有するゲート手段と、
前記ゲート手段を遊技球が通過したとき、前記可動部材の動作契機となるゲート当たりについての抽選処理を行うゲート抽選手段と、
前記遊技領域に打ち込まれた遊技球に対して常に開放された受入口を有する第１の始動口と、
前記遊技領域に打ち込まれた遊技球を、前記ゲート当たりに応じた前記可動部材の動作があったときにのみ受け入れ可能な第２の始動口と、
前記第１の始動口及び前記第２の始動口のいずれかに遊技球が入球されたとき、前記可動片の動作契機となる始動当たりについての抽選処理を行う始動抽選手段と、
前記始動抽選手段により前記始動当たりが当選されたとき、前記機械抽選装置の内部領域への遊技球の進入が可能となるように前記可動片の駆動制御を行う駆動制御手段と、
前記機械抽選装置の内部領域にて、該内部領域に進入した遊技球を一般領域と特定領域とのいずれかに振り分ける振分装置と、
前記振分装置により前記特定領域に遊技球が振り分けられたとき、遊技者に特典を付与する特典付与手段と、を備え、
前記振分装置は、
前記機械抽選装置の内部領域に進入した遊技球のうち、該内部領域に特定のタイミングにて進入した遊技球を前記特定領域に振り分けるものであり、
前記駆動制御手段は、
前記第１の始動口及び前記第２の始動口のうちの前記第２の始動口に遊技球が入球されたことに応じて前記始動当たりが当選されたときに限っては、前記可動片が動作するときの動作期間内に前記特定のタイミングが必ず含まれるように前記可動片の駆動制御を行うようにした
ことを特徴とする遊技機。
【０１３３】
このような構成では、上記振分装置を、機械抽選装置の内部領域に進入した遊技球のうち、該内部領域に特定のタイミングにて進入した遊技球を上記特定領域に振り分けるものとした上で、上記駆動制御手段が、第１の始動口及び第２の始動口のうちの上記第２の始動口に遊技球が入球されたことに応じて上記始動当たりが当選されたときに限っては、上記可動片が動作するときの動作期間内に上記特定のタイミングが必ず含まれるように上記可動片の駆動制御を行うようにした。すなわちこの場合、上記特定領域に遊技球が入球され得ないようなかたちで補助遊技（内部領域の開放）が行われることがなくなり、これによって補助遊技（内部領域の開放）が行われたときの特典付与への期待度を高くすることができるようになる。
【０１３４】
しかも、上記構成では、上記第２の始動口に遊技球が入球されたことに応じて上記始動当たりが当選されたときは、遊技者は、上記特定のタイミングを狙って上記機械抽選装置の内部領域に遊技球を進入させるだけで遊技者に有利な特典が付与されるようになる。すなわち、遊技球を狙い撃ちすることによって上記特定領域に遊技球が入球され易くするなどといった、補助遊技を採用する遊技機として内在される独自の遊技性を利用した遊技を提供することができるようになる。
【０１３５】
しかも、上記構成では、上記第２の始動口については、ゲート当たりに応じた上記可動部材の動作があったときにのみ受け入れ可能な構造を採用することで、その始動率（遊技球の入球率）を低く設定するようにしている。すなわち、上記機械抽選装置の内部領域への遊技球の進入が可能となるように上記可動片の駆動制御が実行される回数を、上記第２の始動口でなく、上記可動部材の動作にかかわらず常に受け入れ可能な第１の始動口によって稼ぐようにしている。すなわち、第１の始動口に遊技球が入球されたときは、可動片が動作するときの動作期間内に上記特定のタイミングが必ずしも含まれないように上記可動片の駆動制御が行われることから、上記第２の始動口に遊技球が入球されたときよりも低い確率で上記特定領域に遊技球が受け入れられる抽選処理（振分装置による振り分け）が行われることとなる。したがって、第２の始動口に遊技球が入球したことに応じて上記始動当たりが当選されたときの期待度を上述の如く高く設定しつつも、特典付与の際には遊技者に多量の賞球を払い出されるように上記出玉率を設定することができるようになる。また併せて、上記機械抽選装置の内部領域への遊技球の進入が可能となるための上記可動片の駆動制御頻度（振分装置による振り分けの頻度）も上記第１の始動口によって好適に維持することができるようになり、ひいては遊技の興趣の低下が抑制されるようになる。
【０１３６】
[構成３]
６０秒間にＮ個の遊技球が順次打ち込まれる遊技領域を有する遊技盤と、
可動片を有し、該可動片が動作したときにのみ内部領域への遊技球の進入が可能となる機械抽選装置と、
前記遊技領域に設けられる可動部材と、
前記遊技領域に打ち込まれた遊技球に対して常に開放された通過口を有するゲート手段と、
前記ゲート手段を遊技球が通過したとき、前記可動部材の動作契機となるゲート当たりについての抽選処理を行うゲート抽選手段と、
前記遊技領域に打ち込まれた遊技球に対して常に開放された受入口を有する第１の始動口と、
前記遊技領域に打ち込まれた遊技球を、前記ゲート当たりに応じた前記可動部材の動作があったときにのみ受け入れ可能な第２の始動口と、
前記第１の始動口及び前記第２の始動口のいずれかに遊技球が入球されたとき、前記可動片の動作契機となる始動当たりについての抽選処理を行う始動抽選手段と、
前記始動抽選手段により前記始動当たりが当選されたとき、前記機械抽選装置の内部領域への遊技球の進入が可能となるように前記可動片の駆動制御を行う駆動制御手段と、
前記機械抽選装置の内部領域にて、該内部領域に進入した遊技球を一般領域と特定領域とのいずれかに振り分ける振分装置と、
前記振分装置により前記特定領域に遊技球が振り分けられたとき、遊技者に特典を付与する特典付与手段と、を備え、
前記駆動制御手段は、
前記第１の始動口に遊技球が入球されたことに応じて前記始動当たりが当選されたときに前記機械抽選装置の内部領域への遊技球の進入が可能となる第１の開放時間の期待値が「（６０／Ｎ）×２」秒未満となるように前記可動片の駆動制御を行う第１の駆動制御手段、及び
前記第２の始動口に遊技球が入球されたことに応じて前記始動当たりが当選されたときに前記機械抽選装置の内部領域への遊技球の進入が可能となる第２の開放時間の期待値が「（６０／Ｎ）×２」秒以上となるように前記可動片の駆動制御を行う第２の駆動制御手段、
を有するものであり、
前記振分装置は、
前記可動片の一動作期間内に前記機械抽選装置の内部領域に２個以上の遊技球が進入したときは、それら遊技球のうちの少なくとも１つを前記特定領域に必ず振り分けるようにした
ことを特徴とする遊技機。
【０１３７】
このような構成では、上記ゲート当たりに応じた上記可動部材の動作にかかわらず遊技球を常に受け入れ可能な第１の始動口と、上記ゲート当たりに応じた上記可動部材の動作があったときにのみ遊技球を受け入れ可能な第２の始動口とを有するようにしたことで、遊技者は、
・遊技球を上記第１の始動口に入球させた後、機械抽選装置の内部領域に別の遊技球を進入させ、さらに該進入した遊技球を特定領域に入球させるルート（第１の始動口側からの当たりルート）。
・遊技球がゲート手段を通過した後、別の遊技球を第２の始動口に入球させ、その後、機械抽選装置の内部領域にさらに別の遊技球を進入させ、該進入した遊技球を特定領域に入球させるルート（ゲート手段側からの当たりルート）。
といった、２つのルートを通じて遊技者に有利な特典の付与を期待することができるようになる。
【０１３８】
そしてこの上で、上記駆動制御手段は、第１の始動口側からの当たりルートにて上記可動片の駆動制御を行うときは、上記機械抽選装置の内部領域に計算上２個の遊技球が入球されない時間だけ上記可動片の駆動制御を行うとともに（第１の駆動制御手段）、ゲート手段側からの当たりルートにて上記可動片の駆動制御を行うときは、上記機械抽選装置の内部領域に計算上２個の遊技球が入球される時間だけ上記可動片の駆動制御を行うようにした（第２の駆動制御手段）。これに対し、上記振分装置は、上記可動片の一動作期間内に上記機械抽選装置の内部領域に２個以上の遊技球が進入したときは、それら遊技球のうちの少なくとも１つを上記特定領域に必ず振り分けるようにしたため、ゲート手段側からの当たりルートにて上記可動片の駆動制御が行われるときの特典付与への期待度が極めて高くなり、ひいては遊技の興趣の低下が抑制されるようになる。すなわちこの場合、可動片の一動作期間中に上記機械抽選装置の内部領域に最初に進入した遊技球と、その次に進入した遊技球とでは、上記特定領域に受け入れられる確率が大幅に異なるようになる。
【０１３９】
しかも、上記構成では、上記第２の始動口については、ゲート当たりに応じた上記可動部材の動作があったときにのみ受け入れ可能な構造を採用することで、その始動率（遊技球の入球率）を低く設定するようにしている。すなわち、上記機械抽選装置の内部領域への遊技球の進入が可能となるように上記可動片の駆動制御が実行される回数を、上記第２の始動口でなく、上記可動部材の動作にかかわらず常に受け入れ可能な第１の始動口によって稼ぐようにしている。すなわち上述の通り、第１の始動口に遊技球が入球されたときは、上記機械抽選装置の内部領域に計算上２個の遊技球が入球されない時間だけ上記可動片の駆動制御が行われることから、上記第２の始動口に遊技球が入球されたときよりも極めて低い確率で上記特定領域に遊技球が受け入れられる抽選処理（振分装置による振り分け）が行われることとなる。したがって、第２の始動口に遊技球が入球したことに応じて上記始動当たりが当選されたときの期待度を上述の如く高く設定しつつも、特典付与の際には遊技者に多量の賞球を払い出されるように上記出玉率を設定することができるようになる。また併せて、上記機械抽選装置の内部領域への遊技球の進入が可能となるための上記可動片の駆動制御頻度（振分装置による振り分けの頻度）も上記第１の始動口によって好適に維持することができるようになり、ひいては遊技の興趣の低下が抑制されるようになる。
【０１４０】
また、上記振分装置としては、可動片の一動作期間内に上記機械抽選装置の内部領域に２個以上の遊技球が進入したときに、それらの少なくとも１つを上記特定領域に振り分ける動作スケジュールに沿って動作するものであればよく、上記内部領域に遊技球が入球する都度、その振り分け態様を異ならしめる必要がない。
【図面の簡単な説明】
【０１４１】
【図１】パチンコ機の外枠の一側に本体枠が開かれその本体枠の一側に前面枠が開かれた状態を示す斜視図である。
【図２】パチンコ機の前側全体を示す正面図である。
【図３】遊技領域を示す拡大正面図である。
【図４】パチンコ機の本体枠と遊技盤とを分離して斜め右上前方から示す斜視図である。
【図５】パチンコ機の後側全体を示す背面図である。
【図６】パチンコ機の後側全体を右上後方から示す斜視図である。
【図７】図６に示すパチンコ機の斜視図から後ろカバー及び各種制御基板等を取り外した状態を示す斜視図である。
【図８】パチンコ機の本体枠に各種部材が組み付けられた状態を斜め右上後方から示す斜視図である。
【図９】本体枠単体を斜め右上後方から示す斜視図である。
【図１０】各種の制御基板ボックスが装着された遊技盤を右下後方から示す斜視図である。
【図１１】回転式振分装置を示す正面図である。
【図１２】可動片の開閉機構を示す説明図である。
【図１３】開閉部材の駆動機構の各構成を分離した状態を左上後方から示す分解斜視図である。
【図１４】複合転動振分装置を示す平面図である。
【図１５】回転式振分装置の動作態様を示す図面である。
【符号の説明】
【０１４２】
１  パチンコ機
２  外枠
３  本体枠
４  前面枠
５  遊技盤
５ａ  遊技板
６  下受板
７  ヒンジ機構
１１  前枠体
１２  遊技盤装着枠
１３  機構装着体
１４  外枠側ヒンジ具
１５  本体枠側ヒンジ具
１６  スピーカボックス部
１７  スピーカ装着板
１８  スピーカ
１９  発射レール
２１  複合転動振分装置
２２  第一転動領域
２３  第二転動領域
２４  特定出口
２５  普通出口
３０  下部前面板
３１  下皿
３２  操作ハンドル
３３  灰皿
３４  球排出レバー
３６  ヒンジ機構
３７  遊技領域
３８  開口窓
３９  窓枠
４０  仕切板
４１  外周壁
４２  ステージ左余地
４３  右キャノピー
４４  ワープ出口
４５  進入路
５０  透明板
５１  上皿
５２  サイド装飾装置
５３  音響電飾装置
５４  サイド装飾体
５５  レンズ
５６  透明カバー体
５７  スピーカ
５８  スピーカカバー
６３  ワープ流入口
７０  施錠装置
７１  閉止具
７２  本体枠施錠フック
７３  閉止具
７４  扉施錠フック
７５  シリンダー錠
７６  外レール
７７  内レール
７８  案内レール
７９  前構成部材
８１  普通電動役物
８２  第２の特別図柄始動口
８３  下部側大入賞口
８４  ＬＥＤ
８５  ＬＥＤ
８６  ＬＥＤ
８７  ＬＥＤ
８８  ＬＥＤ
９０  球アウト口
９１  センター役物
９３  第１の特別図柄始動口
９６  普通図柄始動口
９８  アタッカ装置
９９  開閉部材
１１５  演出表示装置
１１７  制御基板ボックス
１１８  ボックス装着台
１２４  開口部
１３０  制御基板ボックス
１３２  制御基板ボックス
１３３  タンク装着部
１３４  レール装着部
１３５  払出装置装着部
１３６  球タンク
１３７  底板部
１３８  放出口
１３９  レール構成部材
１４１  大入賞口
１４２  可動片
１４３  上蓋
１４４  受止部
１４５  中枠
１４７  遊技球検出手段
１４８  ソレノイド支持部
１５０  タンクレール
１５１  前壁部
１５２  後壁部
１５５  レール棚
１５６  整流体
１５７  軸
１５８  レール受け部
１６１  ソレノイド
１６２  プランジャー
１６３  リンクアーム
１６４  リンク軸
１７０  球払出装置
１７２  払出モータ
１７３  開口部
１９２  発射モータ
１９３  取付基板
１９４  発射装置
１９５  電源基板
１９６  電源基板ボックス
１９８  制御基板ボックス
２１０  カバー
２１０  後カバー体
２１１  カバーヒンジ機構
２１２  後壁部
２１３  周壁部
２１３ａ  壁部
２１３ｂ  壁部
２１３ｃ  上側壁部
２３０  放熱孔
２３１  放熱孔
２３２  放熱孔
２３３  放熱孔
２３５  封印部
２３７  コード保持体
２３８  分電基板
２３９  基板コネクタ
２５２  インターフェース基板
２５３  下皿用球誘導体
２５４  基板ボックス
３４０  内部流下経路
３４３  特定領域へと通じる流下経路
３４４  普通領域へと通じる流下経路
【図３】
2008295803.tif 000003
【図１１】
2008295803.tif 000004
【図１５】
2008295803.tif 000005
【図１】
2008295803.tif 000006
【図２】
2008295803.tif 000007
【図４】
2008295803.tif 000008
【図５】
2008295803.tif 000009
【図６】
2008295803.tif 000010
【図７】
2008295803.tif 000011
【図８】
2008295803.tif 000012
【図９】
2008295803.tif 000013
【図１０】
2008295803.tif 000014
【図１２】
2008295803.tif 000015
【図１３】
2008295803.tif 000016
【図１４】
2008295803.tif 000017